(57)【要約】枠体（３）は、マイクロ発泡樹脂製の外側枠体（３ｂ）と、マイクロ発泡樹脂製の二つの内側枠体（３ａ）とからなる。二つの内側枠体（３ａ）は、外側枠体（３ｂ）の内部に併設されて配置される。内側枠体（３ａ）と外側枠体（３ｂ）はともに、それぞれの上部に設けた開口部（２７ａ、２７ｂ）と、開口部（２７ａ、２７ｂ）から下方に向けて形成された窪み部（３３ａ、３３ｂ）とを具備する。導光空間（２５ａ）の内部に配置されたＬＥＤ光源（２３ａ）は、導光空間（２５ａ）に発光面を向けて光を照射する。したがって、ＬＥＤ光源（２３ａ）からの光は、光取り出し部（９ａ）から均一に出射する。また、導光空間（２５ｂ）の内部に配置されたＬＥＤ光源（２３ｂ）は、導光空間（２５ｂ）に向けて光を照射する。したがって、ＬＥＤ光源（２３ｂ）からの光は、光取り出し部（９ｂ）から均一に出射する。
2017047811.tif 000002
【特許請求の範囲】
【請求項１】
マイクロ発泡樹脂製の外側枠体と、  前記外側枠体の内部に配置される、マイクロ発泡樹脂製の内側枠体と、を具備し、  前記内側枠体と前記外側枠体にはともに、それぞれの上部に設けた開口部と、前記開口部から下方に向けて窪み部が形成され、  前記内側枠体と前記外側枠体の前記窪み部は、互いに離間して対向し、  前記内側枠体の表面側が反射板として機能し、前記内側枠体の表面側と前記内側枠体の前記開口部で囲まれた空間が、第１の導光空間を形成し、前記内側枠体の裏面側と前記外側枠体の表面側が反射板として機能し、前記内側枠体の裏面側と、前記外側枠体の表面側と、前記内側枠体と前記外側枠体の前記開口部によって囲まれた空間が、第２の導光空間を形成して、  前記内側枠体の前記開口部は、第１の光取り出し部であり、前記第１の光取り出し部の周囲に形成され、前記内側枠体と前記外側枠体の前記開口部によって囲まれた開口部が第２の光取り出し部であり、  前記内側枠体の前記開口部は、略同一平面上に形成され、  前記外側枠体の前記開口部が、前記内側枠体の前記開口部と同一平面上に形成されるか、あるいは前記外側枠体の前記開口部が前記内側枠体の前記開口部より後方に配置され、  第１のＬＥＤ光源が前記第１の導光空間内に配置され、第２のＬＥＤ光源が前記第２の導光空間内に配置されることを特徴とするＬＥＤ照明装置。
【請求項２】
第１の光透過部と第２の光透過部よりなる光透過部材を具備し、  前記第１の光取り出し部が、前記第１の光透過部によって覆われ、  前記第２の光取り出し部が、前記第２の光透過部によって覆われる構造を有し、  前記内側枠体の前記開口部は、前記外側枠体の前記開口部と同一平面上に形成され、  前記第１の光取り出し部と前記第２の光取り出し部が、同一平面上に形成され、  前記内側枠体の前記開口部の縁部近傍と、前記外側枠体の前記開口部の縁部近傍が、ともに、前記光透過部材と接触し、  前記内側枠体の前記開口部の縁部近傍が前記第１の光透過部に固定され、  前記外側枠体の前記開口部の縁部近傍が、前記第２の光透過部に固定されることを特徴とする請求項１記載のＬＥＤ照明装置。
【請求項３】
第１の光透過部と第２の光透過部よりなる光透過部材を具備し、  前記第１の光取り出し部が、前記第１の光透過部によって覆われ、  前記第２の光取り出し部が、前記第２の光透過部によって覆われる構造を有し、  前記外側枠体の前記開口部が前記内側枠体の前記開口部より後方に配置され、  前記内側枠体の前記開口部の縁部近傍と、前記外側枠体の前記開口部の縁部近傍が、ともに、前記光透過部材と接触し、  前記内側枠体の前記開口部の縁部近傍が前記第１の光透過部に固定され、  前記外側枠体の前記開口部の縁部近傍が、前記第１の光透過部よりも後方で前記第２の光透過部に固定されることを特徴とする請求項１記載のＬＥＤ照明装置。
【請求項４】
前記内側枠体の先端が、前記内側枠体の外周方向にフランジ状に前記第１の光取り出し部に沿って折り曲げられ、前記外側枠体の先端が、前記外側枠体の外周方向にフランジ状に前記内側枠体のフランジ状の反射板に略平行に折り曲げられることを特徴とする請求項１記載のＬＥＤ照明装置。
【請求項５】
前記第１のＬＥＤ光源は、前記第１の導光空間の前記内側枠体の表面側に配置され、前記第２のＬＥＤ光源は、前記第２の導光空間の前記内側枠体の裏面側または前記外側枠体の表面側のいずれかに配置され、前記第２のＬＥＤ光源が前記第２の光取り出し部からは視認できない位置に配置されることを特徴とする請求項１記載のＬＥＤ照明装置。
【請求項６】
前記内側枠体は一つまたは二つの前記窪み部を有し、前記第１のＬＥＤ光源が前記窪み部の数に対応して、前記窪み部内にそれぞれ１つ設けられることを特徴とする請求項１記載のＬＥＤ照明装置。
【請求項７】
前記内側枠体が一つの前記窪み部を有する場合に、前記第１のＬＥＤ光源は、前記内側枠体の前記窪み部の壁部に配置されることを特徴とする請求項６記載のＬＥＤ照明装置。
【請求項８】
前記内側枠体が一つの前記窪み部を有する場合に、前記第１のＬＥＤ光源は、前記窪み部の曲面部の略中央に配置されることを特徴とする請求項６記載のＬＥＤ照明装置。
【請求項９】
前記内側枠体が二つの前記窪み部を有する場合に、前記内側枠体は、上部に設けた二つの独立した開口部と、前記二つの開口部から下方に向けてそれぞれ前記窪み部を具備するものであり、前記第１のＬＥＤ光源は、発光面を同一方向に向けて、前記内側枠体の二つの前記窪み部の略同一平面上に位置するそれぞれの壁部に配置されることを特徴とする請求項６記載のＬＥＤ照明装置。
【請求項１０】
前記内側枠体が二つの前記窪み部を有する場合に、前記内側枠体は、上部に設けた二つの独立した開口部と、前記二つの開口部から下方に向けてそれぞれ前記窪み部を具備するものであり、前記第１のＬＥＤ光源は、発光面を相互に反対方向に向けて、前記内側枠体の二つの前記窪み部のそれぞれの壁部に配置されることを特徴とする請求項６記載のＬＥＤ照明装置。
【請求項１１】
前記第１のＬＥＤ光源は、前記内側枠体が二つの前記窪み部を有する場合に、前記内側枠体は、上部に設けた二つの独立した開口部と、前記二つの開口部から下方に向けてそれぞれ前記窪み部を具備するものであり、前記内側枠体のそれぞれの前記窪み部の曲面部の略中央にそれぞれ配置されることを特徴とする請求項６記載のＬＥＤ照明装置。
【請求項１２】
前記第２のＬＥＤ光源は、前記第２の導光空間の略中央部に少なくとも１つ以上配置されることを特徴とする請求項６記載のＬＥＤ照明装置。
【請求項１３】
前記内側枠体および前記外側枠体の前記窪み部の形状は、それぞれ、前記第１の光取り出し部に対して略垂直に下方に向けて形成された壁部と、上方が開口した曲面部を有する曲面形状、略角錐台状、または略直方体形状のいずれかと、を具備することを特徴とする請求項１記載のＬＥＤ照明装置。
【請求項１４】
前記外側枠体が前記内側枠体とは一体に形成されるか、別体で形成された後一体化されたものであることを特徴とする請求項１記載のＬＥＤ照明装置。
【請求項１５】
前記内側枠体と前記外側枠体はヒンジ部で一体化しており、前記ヒンジ部が折り曲げられることで、前記内側枠体と前記外側枠体の両者の前記窪み部が所定距離間して重ね合わせられることを特徴とする請求項１記載のＬＥＤ照明装置。
【請求項１６】
前記内側枠体と前記外側枠体の対向部の一方の面に、対向面に向かって突出する突部、または前記内側枠体と前記外側枠体を繋ぐ柱部が形成され、前記突部が対向面と当接するか、あるいは前記柱部が前記内側枠体と前記外側枠体を接続し、前記内側枠体と前記外側枠体の配置が安定化されることを特徴とする請求項１記載のＬＥＤ照明装置。
【請求項１７】
別体で成形された前記内側枠体と前記外側枠体が相互に離隔して配置され、さらに前記内側枠体と前記外側枠体の対向部の一方の面に、対向面に向かって突出する突部、または前記内側枠体と前記外側枠体を繋ぐ柱部が形成され、前記突部と前記柱部が前記内側枠体と前記外側枠体を接続することで、前記内側枠体を前記外側枠体の内部に配置した時に、前記第２の光取り出し部が前記内側枠体の外周部の全周に形成され、前記内側枠体の外周部の全周から光取り出しが可能なことを特徴とすることを特徴とする請求項１記載のＬＥＤ照明装置。
【請求項１８】
別体で成形された前記内側枠体と前記外側枠体が相互に離隔して配置され、さらに前記内側枠体と前記外側枠体の前記開口部の先端近傍がそれぞれ光透過部材に形成された溝にはめ込まれて支持されることで、前記内側枠体を前記外側枠体の内部に配置した時に、前記第２の光取り出し部が前記内側枠体の外周部全周に形成され、前記内側枠体の外周部全周から光取り出しが可能なことを特徴とする請求項１記載のＬＥＤ照明装置。
【請求項１９】
別体で成形された前記内側枠体と前記外側枠体が相互に離隔して配置され、さらに前記内側枠体または前記外側枠体の前記開口部の先端近傍がそれぞれ枠部材に嵌め込まれて支持されることで、前記内側枠体を前記外側枠体の内部に配置した時に、前記第２の光取り出し部が前記内側枠体の外周の全周に形成され、前記内側枠体の外周部の全周から光取り出しが可能なことを特徴とする請求項１記載のＬＥＤ照明装置。
【請求項２０】
前記光透過部材の導光空間側の面と導光空間側とは反対側の面のいずれかに光拡散層またはレンズ構造を具備すること特徴とする請求項２記載のＬＥＤ照明装置。
【請求項２１】
前記レンズ構造は、前記第１の光取り出し部を覆う前記光透過部材の表面または裏面が多数のプリズム形状で形成されるか、あるいは前記光透過部材に多数のプリズムを形成したプリズムシートが貼り付けられたものであることを特徴とする請求項２０に記載のＬＥＤ照明装置。
【請求項２２】
前記第１のＬＥＤ光源の直上部には、前記第１の光取り出し部の一部を塞いで、前記第１のＬＥＤ光源からの直接照射光を遮蔽するように前記光透過部材の裏面に光透過防止部材が設けられることを特徴とする請求項２記載のＬＥＤ照明装置。
【請求項２３】
前記光透過防止部材は、マイクロ発泡樹脂からなる光反射性を有するマイクロ発泡樹脂からなる樹脂シートであることを特徴とする請求項２２記載のＬＥＤ照明装置。
【請求項２４】
前記第１のＬＥＤ光源の直上部において、前記第１の光取り出し部に設けられる前記光透過部材の厚さを前記光透過部材の他部分より厚くすることで、前記第１のＬＥＤ光源からの直接照射光を減衰させるように前記光透過部材が設けられることを特徴とする請求項２記載のＬＥＤ照明装置。
【請求項２５】
前記内側枠体と前記外側枠体は、波長４５０〜６５０ｎｍの可視光帯域での光学特性として、酸化アルミニウム標準板に対する光反射率が全反射率９０％以上、拡散反射率が９０％以上であることを特徴とする請求項１記載のＬＥＤ照明装置。
【請求項２６】
前記内側枠体と前記外側枠体は、可視光帯域における反射率の波長依存性が２％以下であることを特徴とする請求項２５記載のＬＥＤ照明装置。
【請求項２７】
前記第１のＬＥＤ光源は、白色または淡黄色のＬＥＤ光源であり、前記第２のＬＥＤ光源は、加飾用の赤色、黄色、緑色、青色のいずれかの着色ＬＥＤ光源、あるいは、赤色、緑色、青色を切り換えて使用することが可能な照明であることを特徴とする請求項２記載のＬＥＤ照明装置。
【請求項２８】
前記外側枠体からの光の照度に対する前記内側枠体からの光の照度の比率が、１．５〜３．０倍であることを特徴とする請求項２記載のＬＥＤ照明装置。
【請求項２９】
前記光透過部材は、アクリル樹脂、ＰＣ樹脂、ガラス材料、ポリエステル製の樹脂シートのいずれかであることを特徴とする請求項２記載のＬＥＤ照明装置。
【請求項３０】
切換えスイッチを切り換えて、前記第１のＬＥＤ光源と前記第２のＬＥＤ光源の照明を切り換えて使用することが可能であることを特徴とする請求項２記載のＬＥＤ照明装置。
【請求項３１】
切換えスイッチが前記外側枠体の外部に設けられ、前記切換えスイッチを切り換えて、前記第１のＬＥＤ光源と前記第２のＬＥＤ光源の照明を切り換えて使用することが可能であることを特徴とする請求項１７記載のＬＥＤ照明装置。
【請求項３２】
前記内側枠体のそれぞれの前記窪み部に配置された前記第１のＬＥＤ光源の切り替えは、接触式の静電容量スイッチにより行われることを特徴とする請求項９記載のＬＥＤ照明装置。
【請求項３３】
前記第１のＬＥＤ光源と前記第２のＬＥＤ光源を制御する制御基板を具備し、前記制御基板がリジット基板であることを特徴とする請求項２記載のＬＥＤ照明装置。
【請求項３４】
前記ＬＥＤ照明装置は、雰囲気照明用、室内照明用、自動車照明用、鉄道車輛用、または航空機用照明装置であることを特徴とする請求項２記載のＬＥＤ照明装置。
【請求項３５】
マイクロ発泡樹脂製の外側枠体と、  前記外側枠体の内部に併設されて配置される、マイクロ発泡樹脂製の窪み部が２つ併設された内側枠体と、を具備し、  さらに前記外側枠体は、上部に設けた開口部と、前記開口部から下方に向けて窪み部が形成され、前記内側枠体は、上部に設けた二つの独立した開口部と、前記二つの開口部から下方に向けて形成されたそれぞれの窪み部を具備するものであり、  前記内側枠体と前記外側枠体の前記窪み部は、互いに離間して対向し、  前記内側枠体の表面側が反射板として機能し、前記内側枠体の表面側と前記内側枠体の前記開口部で囲まれた空間が、第１の導光空間を形成し、前記内側枠体の裏面側と前記外側枠体の表面側が反射板として機能し、前記内側枠体の裏面側と、前記外側枠体の表面側と、前記内側枠体と前記外側枠体の前記開口部によって囲まれた空間が、第２の導光空間を形成して、  第１のＬＥＤ光源が前記第１の導光空間内に配置され、第２のＬＥＤ光源が前記第２の導光空間内に配置され、  前記内側枠体の前記開口部は、第１の光取り出し部であり、前記第１の光取り出し部の周囲に形成され、前記内側枠体と前記外側枠体の前記開口部によって囲まれた開口部が第２の光取り出し部であり、  前記内側枠体の前記開口部は、略同一平面上に形成され、  前記外側枠体の前記開口部が、前記内側枠体の前記開口部と同一平面上に形成されるか、あるいは前記外側枠体の前記開口部が前記内側枠体の前記開口部より後方に配置され、  前記第１の光取り出し部からは前記内側枠体の前記開口部の開口面方向の光を取り出し、前記第２の光取り出し部からは、前記内側枠体の前記開口部の開口面方向、または前記内側枠体の前記開口部の開口面方向とこれと所定角度で交わる側面方向の少なくともいずれかの方向を含む方向の光を取り出すことを特徴とするＬＥＤ照明装置の光取り出し方法。
【請求項３６】
前記第１のＬＥＤ光源は、前記第１の導光空間の前記内側枠体の表面側に配置され、前記第２のＬＥＤ光源は、前記第２の導光空間の前記内側枠体の裏面側または前記外側枠体の表面側のいずれかに配置され、前記第２のＬＥＤ光源が前記第２の光取り出し部からは視認できない位置に配置されることを特徴とする請求項３５に記載のＬＥＤ照明装置の光取り出し方法。
【請求項３７】
前記内側枠体は一つまたは二つの前記窪み部を有し、前記第１のＬＥＤ光源が前記窪み部の数に対応して、前記窪み部内にそれぞれ１つ設けられることを特徴とする請求項３５に記載のＬＥＤ照明装置。
【請求項３８】
前記第１の光取り出し部と、前記第２の光取り出し部が、ともに光透過部材によって覆われ、前記光透過部材は、第１の光透過部と第２の光透過部より構成され、前記第１の光取り出し部が、前記第１の光透過部によって覆われ、前記第２の光取り出し部が、前記第２の光透過部によって覆われるもので、  前記第１の光透過部からは前記内側枠体の前記開口部の開口方向の光を取り出し、前記第２の光透過部からは、前記内側枠体の前記開口部の開口面方向、または前記内側枠体の前記開口部の開口面方向とこれと所定角度で交わる側面方向の少なくともいずれかの方向を含む方向の光を取り出すことを特徴とする請求項３５記載のＬＥＤ照明装置の光取り出し方法。
【請求項３９】
前記内側枠体と前記外側枠体が離隔して配置され、前記内側枠体を前記外側枠体の内部に配置した時に、前記第２の光取り出し部が前記内側枠体の外周部全体に形成され、前記内側枠体の外周部全体から光を取り出すことを特徴とする請求項３５記載のＬＥＤ照明装置の光取り出し方法。
【請求項４０】
前記内側枠体と前記外側枠体のそれぞれの表面の波長４５０〜６５０ｎｍの可視光帯域での光学特性として、酸化アルミニウム標準板に対する拡散反射率が９０％以上であることを特徴とする請求項３５記載のＬＥＤ照明装置の光取り出し方法。 
【発明の詳細な説明】
【技術分野】
【０００１】  本発明は、コンパクトであり、異なる部位をそれぞれ均一に照射することが可能なＬＥＤ照明装置およびＬＥＤ照明装置の光取り出し方法に関するものである。
【背景技術】
【０００２】  省エネルギーおよび長寿命であることから、ＬＥＤ（Ｌｉｇｈｔ  Ｅｍｉｔｔｉｎｇ  Ｄｉｏｄｅ）照明が普及しており、ＬＥＤを用いた照明は数多く提案されている。これらの照明装置としては、照明装置の枠体の内部に、照明装置の照度向上や光拡散の目的で光反射板を配置し、光を拡散反射させて照射するものがある。【０００３】  例えば、光源から遠くなるにつれて光取り出し部に向けて近づくように傾斜した反射板が提案されている（特許文献１）。【０００４】  また、反射板を湾曲形状にして面発光する反射板形状が提案されている（特許文献２）。【０００５】  また、光取り出し方法として一般的な微細な凹凸を有する拡散シートを光取り出し用のアウターレンズに貼着する方法がある（特許文献３）。【０００６】  また、ＬＥＤ光源からの光を曲面状の導光空間を多重反射させてから取出す方法が提案されている（特許文献４）。【０００７】  また、２層構造の上下２段に光源を配置した照明装置が提案されている（特許文献５）。
【先行技術文献】
【特許文献】
【０００８】
【特許文献１】国際公開公報第２０１０−００１６０４号
【特許文献２】特表２０１３−５４５６６２号公報
【特許文献３】特開２００９−６７０９８号公報
【特許文献４】特表２０１３−５０２０４２号公報
【特許文献５】特開平１１−１８５５１７号公報
【発明の概要】
【発明が解決しようとする課題】
【０００９】  しかし、特許文献１の反射板は、金属または樹脂の部材に光反射性のＰＥＴフィルムや白色インクを積層したものであり、光を効率よく拡散反射させることは困難である。【００１０】  また、特許文献２は、ＬＥＤ光源が取り付けられた基板等の支持構造体と、反射板とが別体であるため、部品点数が多くなり、構造が複雑化する。【００１１】  また、特許文献３、特許文献４は、単に、ＬＥＤ光源からの光を拡散シートや反射板で多重反射させるものであるが、必ずしも効率的ではない。例えば、少ないＬＥＤ光源で均一な光を取り出そうとすると、広い拡散反射エリアを設ける必要がある。したがって、複数の照射エリアに区分して、それぞれの照射エリアから光を取り出すような場合には、いずれの照射エリアに対しても、それぞれの照射エリアごとに、広い拡散反射エリアを設ける必要がある。このため、照明装置が大型化する。【００１２】  また、光源装置が照明空間の内側に配置されており、光源装置の基板が光源から照射され反射面で反射された照明光の戻り光を吸収してしまうので、光の利用効率が低下する。またＬＥＤ基板が光を吸収して加熱されるため、光源の寿命を低下させる懸念がある。更に、ＬＥＤを光源として使い、ＬＥＤ光源の熱がスイッチに伝わるため、スイッチ部が熱くなり、使い心地が良くない。またクルマの室内照明として使う場合は、室内にＬＥＤ光源の熱がスイッチを通して放熱されるので、好ましくない。【００１３】  また、枠体に高反射ポリカーボネート等の高反射性樹脂材料の成形品を使うため、照明が重くなる。【００１４】  また、特許文献５は、ＬＥＤ光源を千鳥配置するものであるが、ＬＥＤ光源を多数必要とし、部品点数が多くなり、構造が複雑化する。【００１５】  本発明は、このような問題に鑑みてなされたもので、簡易な構造で小型であり、異なる部位をそれぞれ均一に照射することが可能なＬＥＤ照明装置およびＬＥＤ照明装置の光取り出し方法を提供することを目的とする。
【課題を解決するための手段】
【００１６】  前述した目的を達するために、第１の発明は、マイクロ発泡樹脂製の外側枠体と、前記外側枠体の内部に配置される、マイクロ発泡樹脂製の内側枠体と、を具備し、前記内側枠体と前記外側枠体にはともに、それぞれの上部に設けた開口部と、前記開口部から下方に向けて窪み部が形成され、前記内側枠体と前記外側枠体の前記窪み部は、互いに離間して対向し、前記内側枠体の表面側が反射板として機能し、前記内側枠体の表面側と前記内側枠体の前記開口部で囲まれた空間が、第１の導光空間を形成し、前記内側枠体の裏面側と前記外側枠体の表面側が反射板として機能し、前記内側枠体の裏面側と、前記外側枠体の表面側と、前記内側枠体と前記外側枠体の前記開口部によって囲まれた空間が、第２の導光空間を形成して、前記内側枠体の前記開口部は、第１の光取り出し部であり、前記第１の光取り出し部の周囲に形成され、前記内側枠体と前記外側枠体の前記開口部によって囲まれた開口部が第２の光取り出し部であり、前記内側枠体の前記開口部は、略同一平面上に形成され、前記外側枠体の前記開口部が、前記内側枠体の前記開口部と同一平面上に形成されるか、あるいは前記外側枠体の前記開口部が前記内側枠体の前記開口部より後方に配置され、第１のＬＥＤ光源が前記第１の導光空間内に配置され、第２のＬＥＤ光源が前記第２の導光空間内に配置されることを特徴とするＬＥＤ照明装置である。【００１７】  第１の光透過部と第２の光透過部よりなる光透過部材を具備し、前記第１の光取り出し部が、前記第１の光透過部によって覆われ、前記第２の光取り出し部が、前記第２の光透過部によって覆われる構造を有し、前記内側枠体の前記開口部は、前記外側枠体の前記開口部と同一平面上に形成され、前記第１の光取り出し部と前記第２の光取り出し部が、同一平面上に形成され、前記内側枠体の前記開口部の縁部近傍と、前記外側枠体の前記開口部の縁部近傍が、ともに、前記光透過部材と接触し、前記内側枠体の前記開口部の縁部近傍が前記第１の光透過部に固定され、前記外側枠体の前記開口部の縁部近傍が、前記第２の光透過部に固定されても良い。【００１８】  第１の光透過部と第２の光透過部よりなる光透過部材を具備し、前記第１の光取り出し部が、前記第１の光透過部によって覆われ、前記第２の光取り出し部が、前記第２の光透過部によって覆われる構造を有し、前記外側枠体の前記開口部が前記内側枠体の前記開口部より後方に配置され、前記内側枠体の前記開口部の縁部近傍と、前記外側枠体の前記開口部の縁部近傍が、ともに、前記光透過部材と接触し、前記内側枠体の前記開口部の縁部近傍が前記第１の光透過部に固定され、前記外側枠体の前記開口部の縁部近傍が、前記第１の光透過部よりも後方で前記第２の光透過部に固定されても良い。【００１９】  前記内側枠体の先端が、前記内側枠体の外周方向にフランジ状に前記第１の光取り出し部に沿って折り曲げられ、前記外側枠体の先端が、前記外側枠体の外周方向にフランジ状に前記内側枠体のフランジ状の反射板に略平行に折り曲げられても良い。【００２０】  前記第１のＬＥＤ光源は、前記第１の導光空間の前記内側枠体の表面側に配置され、前記第２のＬＥＤ光源は、前記第２の導光空間の前記��側枠体の裏面側または前記外側枠体の表面側のいずれかに配置され、前記第２のＬＥＤ光源が前記第２の光取り出し部からは視認できない位置に配置されても良い。【００２１】  前記内側枠体は一つまたは二つの前記窪み部を有し、前記第１のＬＥＤ光源が前記窪み部の数に対応して、前記窪み部内にそれぞれ１つ設けられても良い。【００２２】  前記内側枠体が一つの前記窪み部を有する場合に、前記第１のＬＥＤ光源は、前記内側枠体の前記窪み部の壁部に配置されてもよい。【００２３】  前記内側枠体が一つの前記窪み部を有する場合に、前記第１のＬＥＤ光源は、前記窪み部の曲面部の略中央に配置されてもよい。【００２４】  前記内側枠体が二つの前記窪み部を有する場合に、前記内側枠体は、上部に設けた二つの独立した開口部と、前記二つの開口部から下方に向けてそれぞれ前記窪み部を具備するものであり、前記第１のＬＥＤ光源は、発光面を同一方向に向けて、前記内側枠体の二つの前記窪み部の略同一平面上に位置するそれぞれの壁部に配置されてもよい。【００２５】  前記内側枠体が二つの前記窪み部を有する場合に、前記内側枠体は、上部に設けた二つの独立した開口部と、前記二つの開口部から下方に向けてそれぞれ前記窪み部を具備するものであり、前記第１のＬＥＤ光源は、発光面を相互に反対方向に向けて、前記内側枠体の二つの前記窪み部のそれぞれの壁部に配置されてもよい。【００２６】  前記第１のＬＥＤ光源は、前記内側枠体が二つの前記窪み部を有する場合に、前記内側枠体は、上部に設けた二つの独立した開口部と、前記二つの開口部から下方に向けてそれぞれ前記窪み部を具備するものであり、前記内側枠体のそれぞれの前記窪み部の曲面部の略中央にそれぞれ配置されてもよい。【００２７】  前記第２のＬＥＤ光源は、前記第２の導光空間の略中央部に少なくとも１つ以上配置されてもよい。【００２８】  前記内側枠体および前記外側枠体の前記窪み部の形状は、それぞれ、前記第１の光取り出し部に対して略垂直に下方に向けて形成された壁部と、上方が開口した曲面部を有する曲面形状、略角錐台状、または略直方体形状のいずれかと、を具備してもよい。【００２９】  前記外側枠体が前記内側枠体とは一体に形成されるか、別体で形成された後一体化されたものであってもよい。例えば、前記内側枠体と外側枠体は別体で成形され、ヒンジ部の少なくとも一部において接着にて一体化されていても良い。【００３０】  前記内側枠体と前記外側枠体はヒンジ部で一体化しており、前記ヒンジ部が折り曲げられることで、前記内側枠体と前記外側枠体の両者の前記窪み部が所定距離間して重ね合わせられてもよい。【００３１】  前記内側枠体と前記外側枠体の対向部の一方の面に、対向面に向かって突出する突部、または前記内側枠体と前記外側枠体を繋ぐ柱部が形成され、前記突部が対向面と当接するか、あるいは前記柱部が前記内側枠体と前記外側枠体を接続し、前記内側枠体と前記外側枠体の配置が安定化されてもよい。【００３２】  別体で成形された前記内側枠体と前記外側枠体が相互に離隔して配置され、さらに前記内側枠体と前記外側枠体の対向部の一方の面に、対向面に向かって突出する突部、または前記内側枠体と前記外側枠体を繋ぐ柱部が��成され、前記突部と前記柱部が前記内側枠体と前記外側枠体を接続することで、前記内側枠体を前記外側枠体の内部に配置した時に、前記第２の光取り出し部が前記内側枠体の外周部の全周に形成され、前記内側枠体の外周部の全周から光取り出しが可能であってもよい。【００３３】  別体で成形された前記内側枠体と前記外側枠体が相互に離隔して配置され、さらに前記内側枠体と前記外側枠体の前記開口部の先端近傍がそれぞれ光透過部材に形成された溝にはめ込まれて支持されることで、前記内側枠体を前記外側枠体の内部に配置した時に、前記第２の光取り出し部が前記内側枠体の外周部全周に形成され、前記内側枠体の外周部全周から光取り出しが可能であってもよい。【００３４】  別体で成形された前記内側枠体と前記外側枠体が相互に離隔して配置され、さらに前記内側枠体または前記外側枠体の前記開口部の先端近傍がそれぞれ枠部材に嵌め込まれて支持されることで、前記内側枠体を前記外側枠体の内部に配置した時に、前記第２の光取り出し部が前記内側枠体の外周の全周に形成され、前記内側枠体の外周部の全周から光取り出しが可能であってもよい。【００３５】  前記光透過部材の導光空間側の面と導光空間側とは反対側の面のいずれかに光拡散層またはレンズ構造を具備してもよい。【００３６】  前記レンズ構造は、前記第１の光取り出し部を覆う前記光透過部材の表面または裏面が多数のプリズム形状で形成されるか、あるいは前記光透過部材に多数のプリズムを形成したプリズムシートが貼り付けられたものであってもよい。【００３７】  前記第１のＬＥＤ光源の直上部には、前記第１の光取り出し部の一部を塞いで、前記第１のＬＥＤ光源からの直接照射光を遮蔽するように前記光透過部材の裏面に光透過防止部材が設けられてもよい。【００３８】  前記光透過防止部材は、マイクロ発泡樹脂からなる光反射性を有するマイクロ発泡樹脂からなる樹脂シートであってもよい。【００３９】  前記第１のＬＥＤ光源の直上部において、前記第１の光取り出し部に設けられる前記光透過部材の厚さを前記光透過部材の他部分より厚くすることで、前記第１のＬＥＤ光源からの直接照射光を減衰させるように前記光透過部材が設けられてもよい。【００４０】  前記内側枠体と前記外側枠体は、波長４５０〜６５０ｎｍの可視光帯域での光学特性として、酸化アルミニウム標準板に対する光反射率が全反射率９０％以上、拡散反射率が９０％以上であってもよい。【００４１】  前記内側枠体と前記外側枠体は、可視光帯域における反射率の波長依存性が２％以下、好ましくは１％以下であってもよい。【００４２】  前記第１のＬＥＤ光源は、白色または淡黄色のＬＥＤ光源であり、前記第２のＬＥＤ光源は、加飾用の赤色、黄色、緑色、青色のいずれかの着色ＬＥＤ光源、あるいは、赤色、緑色、青色を切り換えて使用することが可能な照明であってもよい。【００４３】  前記外側枠体からの光の照度に対する前記内側枠体からの光の照度の比率が、１．５〜３．０倍であってもよい。【００４４】  前記光透過部材は、アクリル樹脂、ＰＣ樹脂、ガラス材料、ポリエステル製の樹脂シートのいずれかであってもよい。【００４５】  切換えスイッチを切り換えて、前記第１のＬＥＤ光源と前記第２のＬＥＤ光源の照明を切り換えて使用することが可能であってもよい。【００４６】  切換えスイッチが前記外側枠体の外部に設けられ、前記切換えスイッチを切り換えて、前記第１のＬＥＤ光源と前記第２のＬＥＤ光源の照明を切り換えて使用することが可能であってもよい。【００４７】  二つの前記内側枠体のそれぞれの照明の切り替えは、接触式の静電容量スイッチにより行われてもよい。【００４８】  前記第１のＬＥＤ光源と前記第２のＬＥＤ光源を制御する制御基板を具備し、前記制御基板がリジット基板であってもよい。【００４９】  前記ＬＥＤ照明装置は、雰囲気照明用、室内照明用、自動車照明用、鉄道車輛用、または航空機用照明装置であってもよい。【００５０】  第１の発明によれば、内側枠体と外側枠体とがそれぞれマイクロ発泡樹脂製の反射板として機能するため、枠体と反射板とを別体で構成する必要がない。このため、部品点数を抑えることができる。また、マイクロ発泡樹脂製の反射板を用いることで、効率よく光を拡散反射することができる。このため、光の吸収が少なく且つ照度を均一にして光を取り出すことができる。【００５１】  また、内側枠体と外側枠体とが互いに離間して重ね合わせられるため、内側枠体の表面側と裏面側に、互いに独立した導光空間を形成することができる。すなわち、内側枠体の表面側の第１の導光空間において、内側枠体の表面側で光を拡散反射させることで、第１の光取り出し部からの光を均一にできるとともに、内側枠体の裏面側の第２の導光空間では、内側枠体の裏面側と外側枠体の表面側で光を拡散反射させることで、第１の光取り出し部とは異なる部位に形成される第２の光取り出し部からの光を均一にできる。【００５２】  このように、導光空間を複数層構造とすることで、第２の導光空間における拡散反射領域を、第１の導光空間の背面側に形成することができ、照明装置を小型化することができる。内側枠体と外側枠体を所定距離離間した２層構造の枠体を有する照明装置とすることができる。【００５３】  また、光透過部材で、第１の光取り出し部および第２の光取り出し部が覆われることで、内部に異物等が浸入することを防止することができる。【００５４】  また、第１の光取り出し部と第２の光取り出し部を、同一平面上に形成すれば、同一方向に向けて、第２の光取り出し部からの光と、一対の第１の光取り出し部からの光とを切り替えて、同一方向に向けてそれぞれ均一な光を取り出すことができる。【００５５】  また、外側枠体の開口部を、内側枠体の開口部より後方に配置すれば、特に、第２の光取り出し部の少なくとも一部が、第１の光取り出し部とは異なる方向に向けて形成されるため、異なる方向にそれぞれ均一な光を取り出すことができる。【００５６】  また、外側枠体及び内側枠体にフランジ状の反射板を構成し、両者を第１の光取り出し部と略平行とすることで、第１の光取り出し部の方向に、第２の導光空間から光が取り出されることを防止することができる。また、第２の導光空間の内部における、拡散反射特性を向上させることができる。また、第２の光取り出し部から、第１の光透過部を通じた第１の光取り出し部への光の回り込みを大幅に低減できる。また、第１の光取り出し部と第��の光取り出し部とで、照明色を変えた場合に、同時に点灯しても、色が混じることを防止できる。【００５７】  更に、光取り出し部の形状を、枠体のフランジ形状により調節できるので、光取り出し部の形状や光取り出し部間の間隔を自由に調整でき、照明の機能性や意匠性を向上できる。また、内側枠体と外側枠体の開口部の大きさと配置を調整することで、照明装置の第１の光取り出し部と第２の光取り出し部の照射方向、光取り出し部の大きさなどの設計の自由度を高めることができる。【００５８】  また、第２のＬＥＤ光源を、第２の導光空間の内側枠体の裏面側または外側枠体の表面側のいずれかであって、第２の光取り出し部から視認できない位置に配置することで、グレア感を低減して、均一な光を第２の光取り出し部から取り出すことができる。【００５９】  また、内側枠体が一つまたは二つの窪み部を有し、内側枠体の窪み部ごとに第１のＬＥＤ光源を設けることで、それぞれの窪み部を独立した導光空間として機能させることができる。【００６０】  また、内側枠体が一つの窪み部を有する場合において、第１のＬＥＤ光源を、内側枠体の窪み部の壁部に配置することで、第１の光取り出し部から直接出射する光を抑制することができる。また、内側枠体が一つの窪み部を有する場合において、第１のＬＥＤ光源を、内側枠体の窪み部の曲面部に配置することで、第１の光取り出し部へ向けて、光を出射することができる。【００６１】  また、内側枠体が二つの窪み部を有する場合において、発光面を同一方向に向けて、内側枠体の二つの窪み部のそれぞれの壁部に配置することで、それぞれ異なる照射部位に対して、それぞれ均一に光を照射することができる。また、内側枠体が二つの窪み部を有する場合において、発光面を相互に反対方向に向けて、内側枠体の二つの窪み部のそれぞれの壁部に配置しても、同様の効果を得ることができる。また、内側枠体が二つの窪み部を有する場合において、内側枠体の二つの窪み部のそれぞれの曲面部に配置しても、同様の効果を得ることができる。【００６２】  また、この場合、内側枠体が二つ併設されるため、それぞれの内側枠体によって二つの第１の導光空間を独立して機能させることができる。このため、それぞれ異なる照射部位に対して、それぞれ均一に光を照射することができる。【００６３】  また、第２のＬＥＤ光源が、第２の導光空間の略中央部に少なくとも１つ以上配置されれば、第２の光取り出し部から、略均一な光を取り出すことができる。【００６４】  また、窪み部が曲面形状、略角錐台状、または略直方体形状のいずれかを有すれば、種々の形状の照明装置に適用することができる。【００６５】  また、内側枠体と外側枠体が一体で形成されるか、別体で形成された後一体化されたものであれば、製造が容易である。【００６６】  特に、内側枠体と外側枠体とを一体で成形し、ヒンジ部で折り曲げることで、内側枠体と外側枠体の両者の窪み部が所定距離間して重ね合わせられれば、部品点数を削減することができる。また、マイクロ発泡樹脂シートを折り曲げて使用するので、マイクロ発泡樹脂シートの弾性反発力により、内側枠体と外側枠体が接触することがない。【００６７】  また、内側枠体と外側枠体の対向部の���方の面に、対向面に向かって突出する突部、または内側枠体と外側枠体をつなぐ柱部を形成することで、内側枠体と外側枠体との隙間を確実に維持することができる。この結果、内側枠体と外側枠体の配置を安定化させることができる。【００６８】  また、別体で成形された内側枠体と外側枠体を、突部または柱部によって内側枠体と外側枠体を接続することで、内側枠体と外側枠体を相互に離隔して配置することができ、第２の光取り出し部を、内側枠体の外周部の全周から光を取り出すことができる。【００６９】  また、別体で成形された内側枠体と外側枠体の開口部の先端近傍がそれぞれ光透過部材に形成された溝にはめ込まれて支持されることで、確実に、内側枠体と外側枠体とを相互に離隔させて、内側枠体の外周部の全周から光を取り出すことができる。【００７０】  また、別体で成形された内側枠体と外側枠体の開口部の先端近傍がそれぞれが枠部材に嵌め込まれて支持されることで、確実に、内側枠体と外側枠体とを相互に離隔させて、内側枠体の外周部の全周から光を取り出すことができる。【００７１】  また、光透過部材の導光空間側の面とその反対の光取り出し面のいずれかに光拡散層やレンズ構造を設けることもできる。例えば、光透過部材の表面または裏面に多数のプリズム形状を形成してもよく、多数のプリズムを形成したプリズムシート等を貼り付けることができる。【００７２】  また、第１のＬＥＤ光源の直上部に、光取り出し部の一部を塞いで、第１のＬＥＤ光源からの直接照射光を遮蔽するように光透過防止部材を配置することで、グレア感を低減することができる。【００７３】  また、光透過防止部材をマイクロ発泡樹脂からなる樹脂シートで構成することで、光透過防止部材の裏面で効率よく光を拡散反射させることができ、均一な光を第１の光取り出し部から取り出すことができる。【００７４】  また、第１のＬＥＤ光源の直上部の光透過部材の厚さを、光透過部材の他部分より厚くすることで、第１のＬＥＤ光源からの直接照射光を減衰させ、グレア感を低減することができる。【００７５】  また、可視光帯域での光反射率が９０％以上であれば、任意の色の照明に対応できる。また、光源から開口部までの光路長に相異があったとしても、光反射率が高いので、開口部からほぼ均一な光を取り出すことができる。可視光帯域での光反射率が９５％以上であれば望ましい。【００７６】  さらに、内側枠体と外側枠体の可視光帯域における反射率の波長依存性が２％以下、好ましくは１％以下であれば、第１のＬＥＤ光源と第２のＬＥＤ光源とが、波長の異なる可視光光源であったとしても、各光源の波長特性（発光スペクトル強度分布）が保存された照明光を得ることができる。【００７７】  また、第１のＬＥＤ光源の光を、例えば白色または淡黄色の照明光とすることで、第１の光取り出し部からの光を実用照明として利用することができる。また、第２のＬＥＤ光源の光を第１のＬＥＤ光源の光とは異なる色の着色照明光とすることで、第２の光取り出し部からの光を、例えば加飾用の照明として利用することができる。【００７８】  また、外側枠体からの光の照度に対する内側枠体からの光の照度の比率が、１．５〜３．０倍であれば、加飾用照明に対して、室内照明用の照度を高くすることができる。これにより、室内照明用の照度を実用室内照明の照度に設計し、外側枠体からの光の照度が低い雰囲気照明や補助照明として利用できる。【００７９】  また、光透過部材としては、種々の材質を適用することができる。【００８０】  切換えスイッチを切り換えることで、第１のＬＥＤ光源と第２のＬＥＤ光源の照明を切り換えて使用することが可能となる。【００８１】  また、二つの内側枠体のそれぞれの照明の切り替えを、接触式の静電容量スイッチで行うことで、操作が容易である。【００８２】  また、制御基板として、ガラエポ基板などのリジット基板を使用することで、基板の剛性や照明装置の強度向上に役立てることができる。【００８３】  本ＬＥＤ照明装置は、特に、雰囲気照明用、室内照明用、自動車照明用、鉄道車輛用、または航空機用照明装置に好適である。【００８４】  第２の発明は、マイクロ発泡樹脂製の外側枠体と、前記外側枠体の内部に併設されて配置される、マイクロ発泡樹脂製の窪み部が２つ併設された内側枠体と、を具備し、さらに前記外側枠体は、上部に設けた開口部と、前記開口部から下方に向けて窪み部が形成され、前記内側枠体は、上部に設けた二つの独立した開口部と、前記二つの開口部から下方に向けて形成されたそれぞれの窪み部を具備するものであり、前記内側枠体と前記外側枠体の前記窪み部は、互いに離間して対向し、前記内側枠体の表面側が反射板として機能し、前記内側枠体の表面側と前記内側枠体の前記開口部で囲まれた空間が、第１の導光空間を形成し、前記内側枠体の裏面側と前記外側枠体の表面側が反射板として機能し、前記内側枠体の裏面側と、前記外側枠体の表面側と、前記内側枠体と前記外側枠体の前記開口部によって囲まれた空間が、第２の導光空間を形成して、第１のＬＥＤ光源が前記第１の導光空間内に配置され、第２のＬＥＤ光源が前記第２の導光空間内に配置され、前記内側枠体の前記開口部は、第１の光取り出し部であり、前記第１の光取り出し部の周囲に形成され、前記内側枠体と前記外側枠体の前記開口部によって囲まれた開口部が第２の光取り出し部であり、前記内側枠体の前記開口部は、略同一平面上に形成され、前記外側枠体の前記開口部が、前記内側枠体の前記開口部と同一平面上に形成されるか、あるいは前記外側枠体の前記開口部が前記内側枠体の前記開口部より後方に配置され、前記第１の光取り出し部からは前記内側枠体の前記開口部の開口面方向の光を取り出し、前記第２の光取り出し部からは、前記内側枠体の前記開口部の開口面方向、または前記内側枠体の前記開口部の開口面方向とこれと所定角度で交わる側面方向の少なくともいずれかの方向を含む方向の光を取り出すことを特徴とするＬＥＤ照明装置の光取り出し方法である。【００８５】  ＬＥＤ照明装置の光取り出し方法において、前記第１のＬＥＤ光源は、前記第１の導光空間の前記内側枠体の表面側に配置され、前記第２のＬＥＤ光源は、前記第２の導光空間の前記内側枠体の裏面側または前記外側枠体の表面側のいずれかに配置され、前記第２のＬＥＤ光源が前記第２の光取り出し部からは視認できない位置に配置することができる。【００８６】  前記内側枠体は一つまたは二つの前記窪み部を��し、前記第１のＬＥＤ光源が前記窪み部の数に対応して、前記窪み部内にそれぞれ１つ設けることができる。【００８７】  前記第１の光取り出し部と、前記第２の光取り出し部が、ともに光透過部材によって覆われ、前記光透過部材は、第１の光透過部と第２の光透過部より構成され、前記第１の光取り出し部が、前記第１の光透過部によって覆われ、前記第２の光取り出し部が、前記第２の光透過部によって覆われるもので、前記第１の光透過部からは前記内側枠体の前記開口部の開口方向の光を取り出し、前記第２の光透過部からは、前記内側枠体の前記開口部の開口面方向、または前記内側枠体の前記開口部の開口面方向とこれと所定角度で交わる側面方向の少なくともいずれかの方向を含む方向の光を取り出してもよい。【００８８】  前記内側枠体と前記外側枠体が離隔して配置され、前記内側枠体を前記外側枠体の内部に配置した時に、前記第２の光取り出し部が前記内側枠体の外周部全体に形成され、前記内側枠体の外周部全体から光を取り出してもよい。【００８９】  前記内側枠体と前記外側枠体のそれぞれの表面の波長４５０〜６５０ｎｍの可視光帯域での光学特性として、酸化アルミニウム標準板に対する拡散反射率が９０％以上であってもよい。【００９０】  第２の発明によれば、内側枠体と外側枠体とがそれぞれマイクロ発泡樹脂製の反射板として機能するため、枠体と反射板とを別体で構成する必要がない。このため、部品点数を抑えることができる。また、マイクロ発泡樹脂製の反射板を用いることで、効率よく光を拡散反射することができる。このため、光の吸収が少なく且つ照度を均一にして光を取り出すことができる。また、第２のＬＥＤ光源を第２の光取り出し部からは視認できない位置に配置するので、第２の光取り出し部から取り出す光をグレア感がない均一な光とすることができる。【００９１】  また、内側枠体の窪み部の数に対応したＬＥＤ光源を配置することで、目的の位置に光を照射することができる。光透過部材で、光取り出し部が覆われることで、内部に異物等が浸入することを防止することができる。【００９２】  また、内側枠体と外側枠体が離隔して配置され、第２の光取り出し部を内側枠体の外周部全体に形成することで、内側枠体の外周部全体から光を取り出すことができる。【００９３】  また、可視光帯域での光反射率が９０％以上であれば、任意の色の照明に対応することができる。
【発明の効果】
【００９４】  本発明によれば、簡易な構造で小型であり、異なる部位をそれぞれ均一に照射することが可能なＬＥＤ照明装置を提供することができる。
【図面の簡単な説明】
【００９５】
【図１】ＬＥＤ照明装置１を示す平面図。
【図２】ＬＥＤ照明装置１の断面図であり、図１のＡ−Ａ線断面図。
【図３】ＬＥＤ照明装置１の断面図であり、図１のＢ−Ｂ線断面図。
【図４Ａ】枠体３の製造工程を示す図。
【図４Ｂ】枠体３の製造工程を示す図。
【図５】ＬＥＤ照明装置１ａを示す平面図。
【図６】ＬＥＤ照明装置１ａの断面図であり、図５のＣ−Ｃ線断面図。
【図７】ＬＥＤ照明装置１ａの断面図であり、図５のＤ−Ｄ線断面図。
【図８】ＬＥＤ照明装置１ｂの断面図。
【図９】ＬＥＤ照明装置１ｃの断面図。
【図１０】ＬＥＤ照明装置１ｄの断面図。
【図１１】ＬＥＤ照明装置１ｅの断面図。
【図１２】ＬＥＤ照明装置１ｆの断面図。
【図１３】ＬＥＤ照明装置１ｇの断面図。
【図１４】フレキシブルフラットケーブル２１を示す図。
【図１５】ＬＥＤ照明装置１ｈの断面図。
【図１６】ＬＥＤ照明装置１ｉの断面図。
【図１７】ＬＥＤ照明装置１ｊの断面図であり、図１８のＧ−Ｇ線断面図。
【図１８】ＬＥＤ照明装置１ｊの断面図であり、図１７のＦ−Ｆ線断面図。
【図１９】ＬＥＤ照明装置１ｋの断面図。
【図２０】ＬＥＤ照明装置１ｋの断面図。
【図２１】ＬＥＤ照明装置１ｌの断面図。
【図２２】ＬＥＤ照明装置１ｌの断面図。
【図２３】ＬＥＤ照明装置１ｍの断面図。
【図２４】ＬＥＤ照明装置１ｎの断面図。
【発明を実施するための形態】
【００９６】（第１実施形態）  以下、図面を参照しながら、本発明の実施形態について説明する。図１はＬＥＤ照明装置１を示す平面図である。また、図２、図３は、ＬＥＤ照明装置１の断面図であり、図２は、図１のＡ−Ａ線断面図、図３は、図１のＢ−Ｂ線断面図である。
【００９７】  ＬＥＤ照明装置１は、主に、枠体３、光透過部材１１、ＬＥＤ光源２３ａ、２３ｂ、切換えスイッチ５等から構成される。
【００９８】  枠体３は、マイクロ発泡樹脂製の外側枠体３ｂと、マイクロ発泡樹脂製の相互に離隔した窪み部が２つ設けられた内側枠体３ａとからなる。内側枠体３ａの二つの窪み部は、外側枠体３ｂの内部に併設されて配置される。すなわち、枠体３は、２重構造である。なお、枠体３は、光反射性に優れ、光をほとんど透過せず、且つ形状保持性を有する材料であれば、他材料でも良い。
【００９９】  内側枠体３ａと外側枠体３ｂはともに、それぞれの上部に設けた開口部２７ａ、２７ｂと、開口部２７ａ、２７ｂから下方に向けて形成された窪み部３３ａ、３３ｂとを具備する。さらに詳細には、内側枠体３ａと外側枠体３ｂのそれぞれの窪み部３３ａ、３３ｂは、それぞれの開口部２７ａ、２７ｂから所定の角度で形成された壁部２９ａ、２９ｂと、壁部２９ａ、２９ｂの下端から湾曲して図２の斜め上方に開口部２７ａ、２７ｂに向けて伸びる曲面部３１ａ、３１ｂとを具備する。
【０１００】  図３に示すように、内側枠体３ａの二つの窪み部のそれぞれの対向面は、壁部２９ｃ、２９ｄとなる。すなわち、内側枠体３ａの二つの窪み部は、壁部２９ｃ、２９ｄを境に、略対称な２つの枠体として相互に隣接する。
【０１０１】  内側枠体３ａの二つの窪み部３３ａのそれぞれの開口部２７ａは、壁部２９ｃ、２９ｄによって、二つの領域に区分され、略同一平面上に形成される。このように、ＬＥＤ照明装置１は、内側枠体３ａが対称な２つの窪み部３３ａを有する枠体として、相互に隣接して対向してそれぞれ独立して配置されている。なお、一対の窪み部３３ａを有する内側枠体３ａは、壁部２９ｃ、壁部２９ｄで相互に接着されて一体化されている。ここで、一体化されているとは、製造時に一体成形されてもよく、別体で成形された後に接合して一体化させたものでも良い。
【０１０２】  なお、ＬＥＤ照明装置１では、例えば、２つの別体で成形した内側枠体３ａを壁部２９ｃ，壁部２９ｄを直接対向させて接合せずにそのまま用いてもよいが、１つの内側枠体３ａを仕切り壁部により略対称な２室に仕切り、同一の内側枠体３ａの内部に二つの導光空間２５ａを構成したり、真空成形やマッチモールド成形などにより、二つの窪み部を有する内側枠体を一体成形することが望ましい。この場合には、壁部２９ｃ、２９ｄに変えて、仕切り部が壁部となる。
【０１０３】  なお、内側枠体３ａと外側枠体３ｂの形状は、図示した例には限られない。例えば、内側枠体３ａと外側枠体３ｂの形状は、図示した様な曲面形状ではなく、略角錐台状断面形状や略直方体形状とすることもできる。すなわち、内側枠体３ａおよび外側枠体３ｂの窪み部３３ａ、３３ｂの形状は、例えば、それぞれ、光透過部１１ａに対して略垂直に下方に向けて形成された壁部２９ａ、２９ｂ、２９ｃ、２９ｄと、上方が開口した曲面部を有する曲面形状、略角錐台状、または略直方体形状のいずれかを有すればよい。
【０１０４】  壁部２９ａ、２９ｂは、それぞれの開口部２７ａ、２７ｂから所定の角度で形成される。例えば、壁部２９ａ、２９ｂは、それぞれの開口部２７ａ、２７ｂに対して略垂直に形成されてもよく、鈍角となるように形成されてもよい。また、壁部２９ｃ、２９ｄは、開口部２７ａに垂直に形成され、例えば、壁部２９ｃ、２９ｄと壁部２９ａは、略直交する。
【０１０５】  ここで、壁部２９ａ、２９ｂが、それぞれの開口部２７ａ、２７ｂに対して鈍角となるように形成されるとは、それぞれの導光空間２５ａ、２５ｂから見て、開口部２７ａ、２７ｂと壁部２９ａ、２９ｂとのなす角度が鈍角であることをいう。例えば、壁部２９ａを開口部２７ａに対して鈍角とすることで、ＬＥＤ光源２３ａを直上から見えなくすることができる。このようにすることで、ＬＥＤ光源からの直接照射光を少なくしてグレア感を低減することができる。
【０１０６】  内側枠体３ａと外側枠体３ｂのそれぞれの窪み部３３ａ、３３ｂは、互いに離間して対向するように配置される。ここで、以下の説明では、内側枠体３ａと外側枠体３ｂのそれぞれの開口部２７ａ、２７ｂ側を、それぞれの枠体の「表面側」と称し、反対面側を「裏面側」とする。すなわち、内側枠体３ａの表面側は開口部２７ａと対向し、内側枠体３ａの裏面側は、外側枠体３ｂの表面側と対向する。
【０１０７】  内側枠体３ａの表面側は反射板として機能する。したがって、内側枠体３ａの表面側と開口部２７ａ（後述する光透過部１１ａ）で囲まれた空間が、第１の導光空間２５ａとなる。同様に、内側枠体３ａの裏面側と外側枠体３ｂの表面側はそれぞれ反射板として機能する。したがって、内側枠体３ａの裏面側と、外側枠体３ｂの表面側と開口部２７ｂ（後述する光透過部１１ｂ）とで囲まれた空間が、第２の導光空間２５ｂとなる。すなわち、内側枠体３ａは、その両面が反射板として機能する。
【０１０８】  内側枠体３ａのそれぞれの窪み部３３ａの裏面側には突部１７が設けられる。突部１７は、内側枠体３ａの裏面側に対向する外側枠体３ｂの表面側に突出し、突部１７の先端は、外側枠体３ｂと接触する。このようにすることで、内側枠体３ａのそれぞれの窪み部３３ａが外側枠体３ｂに支持され、導光空間２５ｂが潰れてしまうことを防止し、内側枠体３ａと外側枠体３ｂの配置間隔を安定化させ、照明装置の剛性を高めることができる。
【０１０９】  なお、突部１７は、導光空間２５ｂにおいて、内側枠体３ａの裏面側または外側枠体３ｂの表面側のいずれかに形成すればよい。すなわち、内側枠体３ａと外側枠体３ｂの対向部の一方の面に、対向面に向かって突出する突部１７が形成されればよい。この場合には、互いの対向方向に突出する突部１７が、対向する内側枠体３ａの裏面または外側枠体３ｂの表面に当接する。また、突部１７は、内側枠体３ａまたは外側枠体３ｂとは別体で形成し、内側枠体３ａの裏面側または外側枠体３ｂの表面側に接合してもよい。また、内側枠体３ａまたは外側枠体３ｂの一部を変形させて内側枠体３ａまたは外側枠体３ｂと一体で突部１７を形成してもよい。
【０１１０】  また、突部１７に変えて、内側枠体３ａと外側枠体３ｂを繋ぐ柱部を形成してもよい。この場合には、柱部が、それぞれの内側枠体３ａと外側枠体３ｂを接続する。このようにすることで、内側枠体３ａと外側枠体３ｂの配置を安定化させることができる。
【０１１１】  なお、突部１７や柱部による光が遮られるのを少なくするため、突部１７や柱部は、内側枠体３ａと外側枠体３ｂの間隔を制御して所定の導光空間を確保することができる限り、突部１７や柱部自体はできるだけ小さく形成することが望ましい。ここで、光源からの光が突部１７や柱部により遮られたとしても、突部１７や柱部で遮られた光は、突部１７や柱部で反射され、その反射光が内側枠体３ａの裏面または外側枠体３ｂの表面へと拡散反射させて、結果的に、後述する第２の導光空間から有効に取出すことができる。
【０１１２】  ここで、前述した様に、内側枠体３ａと外側枠体３ｂは、マイクロ発泡樹脂シート（多数の微細機構を有する多孔質部材）から形成される。本発明で用いるマイクロ発泡樹脂シートは、中央に発泡層を有し、両面に非発泡層を有する絶縁性の樹脂シートである。ここで、発泡層とは、発泡により、気泡を生成させた層をいう。
【０１１３】  本実施形態では、マイクロ発泡樹脂シートの厚さは０．４ｍｍ〜２．０ｍｍで、表面の非発泡層の厚さは１０〜３０μｍである。また、本発明のマイクロ発泡樹脂シートは、平均気泡径が０．２μｍから４０μｍの範囲であることが好ましい。平均気泡径が０．２μｍより小さすぎると、光の透過度が高くなり反射率が低下する。また、平均気泡径が大きすぎると拡散反射率が低下するため、平均気泡径は０．２μｍから４０μｍ以下とする必要がある。さらに平均気泡径は０．５μｍから２０μｍであることが好ましい。
【０１１４】  波長４５０〜６５０ｎｍの可視光帯域における、マイクロ発泡樹脂製の内側枠体３ａと外側枠体３ｂの光学特性として、酸化アルミニウム標準板を用いた時の光反射率は、全反射率が９０％以上、拡散反射率が９０％以上を満たし、反射率の波長依存性が２％以下、好ましくは１％以下の範囲内にあることが望ましい。全反射率、拡散反射率ともに、好ましくは９５％以上を満足でき、９９％以上も可能である。なお、波長が４５０〜６５０ｎｍの可視光に対する光学特性は、成形前のマイクロ発泡樹脂シートと、成形された後の内側枠体３ａと外側枠体３ｂとで大きく変わることはない。
【０１１５】  ここで、本発明のマイクロ発泡樹脂シートは、絶縁性を有し、その体積固有抵抗は１０１２Ω〜１０１７Ωである。この範囲であれば、本発明における絶縁性を十分確保できる。
【０１１６】  また、本実施形態において、マイクロ発泡樹脂シートは、ＰＥＴ樹脂（ポリエチレンテレフタレート樹脂）、ＰＣ樹脂（ポリカーボネート樹脂）、難燃ＰＣ樹脂、アクリル系樹脂、例えばＰＭＭＡ樹脂（ポリメタクリル酸メチル樹脂）のいずれかから構成することが好ましい。上記の他、マイクロ発泡樹脂シートには、シクロオレフィンポリマー、ポリアクリロニトリルなどのアクリル樹脂に難燃性を持たせた透明樹脂を使用することもできる。また、使い場所や用途により帯電防止、難燃性付与、耐紫外線のコーティングなどの処理をされたマイクロ発泡樹脂シートを使用しても良い。
【０１１７】  内側枠体３ａと外側枠体３ｂは、マイクロ発泡樹脂シートを真空成形やマッチモールド成形などによって、一体で成形することができる。図４Ａ、図４Ｂは、枠体３の製造工程の一例を示す図である。
【０１１８】  例えば、ＰＥＴ樹脂、ＰＣ樹脂、難燃ＰＣ樹脂、またはアクリル系樹脂の熱可塑性樹脂製のマイクロ発泡樹脂シートをヒータで加熱して軟化させ、軟化させたマイクロ発泡樹脂シートを成形型に吸引することで、内側枠体３ａと外側枠体３ｂを、境界部であるヒンジ部３７を介して一体成形することができる。ここで、真空成形やマッチモールド成形の加熱成形後のマイクロ発泡樹脂シートは、加熱前後で全反射率や拡散反射率等の光学特性はほとんど変わらずに、全反射率や拡散反射率が９０％以上を満たすことができる。
【０１１９】  このようにして得られた一体成形品を、一対の内側枠体３ａと外側枠体３ｂの境界部のヒンジ部３７で折り曲げて（図中矢印Ｃ）、内側枠体３ａと外側枠体３ｂの両者を重ね合わせることで、枠体３を得ることができる。なお、前述した様に、内側枠体３ａと外側枠体３ｂの間には、突部１７を接合してもよい。また、突部１７を真空成形やマッチモールド成形において、内側枠体３ａまたは／および外側枠体３ｂに一体で成形することもできる。
【０１２０】  なお、マイクロ発泡樹脂製の内側枠体３ａと外側枠体３ｂを別体で形成し、その後、内側枠体３ａと外側枠体３ｂとを重ね合わせて接続して一体化してもよい。
【０１２１】  内側枠体３ａの開口部２７ａは、導光空間２５ａからの第１の光取り出し部９ａとなる。また、外側枠体３ｂと内側枠体３ａとの間の開口部２７ｂが、導光空間２５ｂからの第２の光取り出し部９ｂとなる。光取り出し部９ｂは、光取り出し部９ａの周囲であって、ＬＥＤ照明装置１の側方に形成され、内側枠体３ａと外側枠体３ｂの開口部によって囲まれた開口部である。
【０１２２】  内側枠体３ａのそれぞれの開口部２７ａの外周に、導光空間２５ｂの光取り出し部９ｂが形成される。また、前述したように、それぞれの窪み部３３ａの導光空間２５ａが互いに独立して形成される。したがって、それぞれの光取り出し部９ａ、および、光取り出し部９ｂから、別々に光を取り出すことができる。
【０１２３】  なお、ＬＥＤ照明装置１は、光取り出し部９ａからの光の出射方向が内側枠体の開口部の開口面の方向に向くように使用される。ここで、内側枠体の開口部の開口面の方向とは、内側枠体の開口部に垂直な方向を意味する。
【０１２４】  なお、内側枠体３ａと外側枠体３ｂの境界部がヒンジ部３７で連続的に連結されて一体成形された枠体３を用いる場合は、ヒンジ部３７からは光を取出すことができないため、ヒンジ部３７側を除く外周方向の光取り出し部９ｂから光が取り出されることになる。
【０１２５】  内側枠体３ａの壁部２９ａの略中央には、導光空間２５ａ内の内側枠体３ａの表面側に、曲面部３１ａの表面に発光面を向けて、第１のＬＥＤ光源であるＬＥＤ光源２３ａが配置される。すなわち、ＬＥＤ光源２３ａは、発光面を同一方向に向けて、内側枠体３ａのそれぞれの窪み部３３ａの壁部２９ａに配置される。
【０１２６】  なお、ＬＥＤ光源２３ａは、壁部２９ａの背面側に配置された回路基板１９と接続される。また、内側枠体３ａのそれぞれの窪み部３３ａの壁部２９ａの略中央には、貫通穴が設けられる。内側枠体３ａのそれぞれの壁部２９ａに対してＬＥＤ光源２３ａは、同一方向を向くように、それぞれの貫通穴に配置される。従って、一対のＬＥＤ光源２３ａは、同一の回路基板１９の長手方向の異なる位置に取り付けることが可能である。この際、ＬＥＤ光源２３ａは、内側枠体３ａの光取り出し部９ａから視認できない位置に配置されるのが好ましい。
【０１２７】  第２のＬＥＤ光源であるＬＥＤ光源２３ｂは、内側枠体３ａの曲面部３１ａの裏面に、外側枠体３ｂの表面側に発光面を向けて配置される。ＬＥＤ光源２３ｂは、回路基板１９からフレキシブルフラットケーブル２１で配線されて配置される。
【０１２８】  なお、ＬＥＤ光源２３ｂは、導光空間２５ｂ内の内側枠体３ａの裏面に配置してもよく、外側枠体３ｂの表面に配置してもよい。すなわち、ＬＥＤ光源２３ｂは、導光空間２５ｂの内部のほぼ中心の位置で光取り出し部９ｂから視認できない場所に配置される。ＬＥＤ光源２３ｂは、内側枠体３ａまたは外側枠体３ｂの曲面部３１ａ、３１ｂのいずれかの幅方向の略中央に、外側枠体３ｂの表面または内側枠体３ａの裏面のいずれかにその発光面を対向面に向けて配置される。
【０１２９】  内側枠体３ａおよび外側枠体３ｂの開口部２７ａ、２７ｂは、光透過部材１１で覆われる。光透過部材１１は、第１の光透過部１１ａと、第２の光透過部１１ｂからなる。すなわち、光取り出し部９ａが、光透過部１１ａによって覆われ、光取り出し部９ｂの少なくとも一部が、光透過部１１ｂによって覆われる構造を有する。なお、光取り出し部９ａは光透過部１１ａの開口部２７ａに対応した場所に対応し、開口部２７ａと同じ大きさでも、それ以上の大きさであっても良い。
【０１３０】  ここで、外側枠体３ｂの開口部２７ｂは、内側枠体３ａの開口部２７ａより後方に配置される。内側枠体３ａの開口部２７ａの縁部近傍は、光透過部１１ａと接触して固定され、外側枠体３ｂの開口部２７ａの縁部近傍は、光透過部１１ａよりも後方で、光透過部１１ｂと接触して固定される。内側枠体３ａの開口部２７ａの縁部近傍と光透過部１１ａ及び外側枠体３ｂの開口部２７ｂの縁部近傍と光透過部１１ｂとは、接着により固定されても良い。
【０１３１】  光透過部１１ａは外方の導光空間２５ｂに延設され、光透過部１１ａと光透過部１１ｂが略垂直に一体となっている。図２の例では、光取り出し部９ｂは、光透過部１１ａの延設部と光透過部１１ｂによって覆われた部分で形成される。光透過部１１ａ、１１ｂは、表面が平滑な透明なアクリル板を折り曲げた成形部材であっても良い。光透過部１１ａ、１１ｂは、例えば光を拡散させて透過するプリズム状や凸レンズの微小突部が多数形成されたレンズ構造を有する成形部材などである。また、光透過部１１ａ、１１ｂは、梨地状の表面の凹凸を形成した成形部材などである。
【０１３２】  前述した様に、ＬＥＤ照明装置１の上方には光取り出し部９ａが設けられ、ＬＥＤ照明装置１の側方には光取り出し部９ｂが設けられる。したがって、光透過部１１ａ、１１ｂは互いに所定の角度（図示した例では直角）となる。すなわち、光透過部１１ａと光透過部１１ｂとは、互いに異なる方向に向けて配置される。
【０１３３】  なお、光透過部１１ａ、１１ｂは、別部材であっても、一体部材で形成してもよい。光透過部１１ａ、１１ｂが別体の場合、光透過部１１ａが内側枠体３ａの開口部２７ａの縁部近傍に固定され、光透過部１１ｂが外側枠体３ｂの縁部近傍に固定される。また、光透過部１１ａ、１１ｂが一体である場合にも、光透過部１１ａが内側枠体３ａの開口部２７ａの縁部近傍に固定され、光透過部１１ｂが外側枠体３ｂの縁部近傍に固定される。なお、この場合は、光透過部１１ａと光透過部１１ｂとが折曲げられて形成されてもよい。また、この場合には、光透過部１１ａと光透過部１１ｂとの折曲げ部の厚みを薄くすることで、強度を保つことができるとともに、軽量化することができる。
【０１３４】  導光空間２５ａの内部に配置されたＬＥＤ光源２３ａは、導光空間２５ａに発光面を向けて光を照射する。したがって、ＬＥＤ光源２３ａからの光は、光と浮かぶ内側枠体３ａの表面側で拡散反射されて、光取り出し部９ａから出射する。光取り出し部９ａの光透過部１１ａを光が透過する際に、光透過部１１ａの導光空間２５ａ側の内面とその反対の外面に設けた光拡散層やレンズ構造により、導光空間２５ａへ入射光の一部が反射されるが、基本的には、光拡散層やレンズ構造を設ける方が光透過部１１ａの表面にそのような構造を設けない平滑な場合に比べて、光透過部１１ａからの光の取り出し効率が高くなるように設計できる。
【０１３５】  また、光透過部１１ａの内面と外面の間で多重反射をして、光の一部は導光空間２５ａの内部に反射し、残りの一部は外部に照射される。このように、光透過部１１ａによる光拡散効果により、照射光の面内分布がより均一化し、照明光の照射範囲を広げることができる。
【０１３６】  また、導光空間２５ｂの内部に配置されたＬＥＤ光源２３ｂは、導光空間２５ｂに向けて光を照射する。したがって、ＬＥＤ光源２３ｂからの光は、内側枠体３ａの裏面側および外側枠体３ｂの表面側で拡散反射されて、光取り出し部９ｂから出射する。光取り出し部９ａの光透過部１１ｂを光が透過する際にも、光取り出し部９ａと同様に、光透過部１１ｂにおける光拡散効果により、照射光の面内分布がより均一化し、照明光の照射範囲を広げることができる。
【０１３７】  光取り出し部９ａ、９ｂを垂直に配置することで、光取り出し部９ａ、９ｂから互いに垂直な方向に、光を出射することができる。すなわち、光取り出し部９ａからは、内側枠体３ａの開口部２７ａの開口面方向に光を取り出し、光取り出し部９ｂからは、内側枠体３ａの開口部２７ａの開口面方向と直交する照明装置の側面方向に光を出射することができる。つまり、光取り出し部９ａ、９ｂの配置や方向を設計することで、それぞれの照明光の照射方向、二つの照射方向のなす角度を設定することができ、照明の照射範囲や演出効果を自由に設計できる。
【０１３８】  また、さらに、内側枠体３ａのそれぞれの光取り出し部９ａから、同一方向ではあるが、二つの照射位置へ光を照射することができる。あるいは、照射方向を所定の範囲で変えて、二つの照射位置へ光を照射することができる。
【０１３９】  なお、ＬＥＤ光源２３ａと、ＬＥＤ光源２３ｂの光の色を異なるようにしてもよい。例えば、ＬＥＤ光源２３ａの光を、白色または淡黄色の照明光とし、ＬＥＤ光源２３ｂを、加飾用の赤色、黄色、緑色、青色のいずれかの着色ＬＥＤ光源としてもよい。あるいは、ＬＥＤ光源２３ｂを、赤色、緑色、青色を切り換えて使用することが可能な照明としてもよい。
【０１４０】  このようにすることで、ＬＥＤ光源２３ａを実用光とし、ＬＥＤ光源２３ｂを加飾用として、ＬＥＤ光源２３ａの光とは異なる色の光として利用することができ、照明の演出効果を高めることができる。また、昼、夜、四季により加飾用の照明光の色を変えることで、時間や季節に合わせた雰囲気作りができ、さらに演出効果を高めることができる。
【０１４１】  なお、この場合、外側枠体３ｂ（光取り出し部９ｂ）からの光の照度に対する、それぞれの内側枠体３ａ（光取り出し部９ａ）からの光の照度の比率は、１．５〜３．０倍であることが望ましい。加飾用の光に対して、照明光としての照度を確保することができる。
【０１４２】  また、内側枠体３ａの一対の窪み部３３ａに配置されたそれぞれのＬＥＤ光源２３ａの光の色を異なるようにしてもよい。さらに、一対のＬＥＤ光源２３ａと、ＬＥＤ光源２３ｂの光の色をすべて異なるようにしてもよい。
【０１４３】  また、プルキニェ現象により、視細胞は青色の光に対する感度が高い細胞が赤色を認識する細胞より優位に働く。このため、このように２重構造の加飾用照明を、夜間車内などの暗い環境で利用する場合には、着色照明光としては、視細胞により明るく感じることができる青色の光を用いることが望ましい。
【０１４４】  なお、ＬＥＤ光源２３ａとＬＥＤ光源２３ｂの光の色を変えるのではなく、光透過部１１ａ、１１ｂによって光の色を変えることもできる。例えば、光透過部１１ａ、１１ｂを着色することで、光取り出し部９ａ、９ｂから出射される光の色を変えることもできる。
【０１４５】  ここで、光透過部材１１の材質としては、例えば、透明または半透明のアクリル樹脂、ペット（ＰＥＴ）やポリカーボネート（ＰＣ）樹脂、ガラス、ポリエステル製の樹脂シートである。また、光透過部材１１は、着色フィルムが貼り付けられた透明な樹脂材料やガラス材料であってもよい。たとえば、着色フィルムは、透明なポリエステル製のフィルムであっても良い。
【０１４６】  また、光透過部材１１の材質として、半透明な乳白色のアクリル板を用いることもできる。また、光透過部材１１に、透明な樹脂の表面に微小凹凸形状を有するプリズムシート等を貼り付けて光反射機能を付与した光拡散層を設けてもよい。また、光透過部材１１として、光を拡散させて透過するプリズム状や凸レンズ状の多数の突起を表面に設けたレンズ構造を有する成形部材を使っても良い。
【０１４７】  ここで、上記のレンズ構造を光透過部材１１の表面に形成する代わりに裏面に形成しても良い。すなわち、光透過部１１ａ、１１ｂの導光空間２５ａ、２５ｂ側の面とその反対側の光取り出し面のいずれかの面に、光拡散層またはレンズ構造を設けてもよい。なお、上述のレンズ構造は、光透過部材１１の裏面に形成される方が、光透過部材１１の清掃性に優れるとともに破損などのリスクを減らすことができる。
【０１４８】  光透過部材１１に形成するプリズム状や凸レンズ状の多数の突起の大きさは、例えば２〜４ｍｍである。光透過部材の外寸を、例えば、９０ｍｍ×６０ｍｍとし、１個のプリズム状の突起の寸法を、３．０×３．０ｍｍとすれば、全体では３０×２０＝６００個のレンズ構造を設けることができる。また、梨地状の表面の凹凸を形成した成形部材を光透過部材１１として用いてもよい。
【０１４９】  なお、内側枠体３ａの開口部２７ａの縁部には、外側に向けてフランジ状の反射板３５ａが設けられる（図２、図３参照）。フランジ状の反射板３５ａは、光透過部１１ａを覆うように延設されて、光透過部１１ａの端部まで設けられる。このため、導光空間２５ｂ（外側枠体３ｂと内側枠体３ａの間）の光が、光取り出し部９ａと同一方向に出射することが防止される。すなわち、フランジ状の反射板３５ａは、開口部２７ｂの一部を塞ぎ、光取り出し部９ｂはＬＥＤ照明装置１の側方にのみ形成される。
【０１５０】  なお、内側枠体３ａの開口部２７ａの縁部近傍（フランジ状の反射板３５ａ）は光透過部１１ａと接触し、外側枠体３ｂの開口部２７ｂの縁部近傍は光透過部１１ｂと接触する。外側枠体３ｂの開口部２７ｂの縁部近傍と光透過部１１ｂとは接着されてもよい。また、内側枠体３ａの開口部２７ａの縁部近傍（フランジ状の反射板３５ａ）と光透過部１１ａとは接着されてもよい。なお、フランジ状の反射板３５ａは内側枠体３ａと一体でも良く、それぞれ別部材として光透過部１１ａに取り付けられても良い。
【０１５１】  ここで、本発明において、内側枠体３ａおよび外側枠体３ｂのそれぞれの開口部２７ａ、２７ｂの縁部近傍が光透過部１１ａ、１１ｂとそれぞれ接触するとは、互いに直接接触している場合に限られず、他の部材を介して接触している場合も含む。すなわち、内側枠体３ａおよび外側枠体３ｂのそれぞれの開口部２７ａ、２７ｂの縁部近傍と、光透過部１１ａ、１１ｂとの間に、光が漏れる隙間が形成されないことを意味する。
【０１５２】  ＬＥＤ光源２３ａの直上には、必要に応じて、光透過防止部材１５が設けられる。すなわち、光透過防止部材１５は、光取り出し部９ａの一部を塞ぐように設けられる。光透過防止部材１５は、ＬＥＤ光源２３ａからの光を遮蔽する。このため、光透過防止部材１５によって、ＬＥＤ光源２３ａからの直接光が光取り出し部９ａから取り出されることを抑制することができる。
【０１５３】  なお、光透過防止部材１５を、内側枠体３ａおよび外側枠体３ｂと同じようにマイクロ発泡樹脂製としてもよい。このようにすることで、光透過防止部材１５の裏面側でもＬＥＤ光源２３ａからの光を拡散反射させることができる。なお、ＬＥＤ光源２３ｂは、内側枠体３ａの背面側に配置されるため、ＬＥＤ光源２３ｂの直接光は、内側枠体３ａによって遮蔽することができる。
【０１５４】  光透過部１１ａの縁部近傍には、切換えスイッチ５が配置される。図示した例では、切換えスイッチ５は、光透過部１１ａの上部に設けられる。切換えスイッチ５の端子は、ＬＥＤ光源２３ａ、２３ｂおよび電源装置（図示省略）と配線で接続される。切換えスイッチ５は、回路基板１９と接続される。
【０１５５】  切換えスイッチ５は、外側枠体３ｂの照明を点灯・消灯させ、内側枠体３ａのそれぞれのＬＥＤ光源２３ａの点灯・消灯を切り替えることができる。なお、切換えスイッチ５としては、光透過部１１ａ上に接触式の静電容量スイッチを設けてもよい。例えば、内側枠体３ａのそれぞれの窪み部３３ａの照明の切り替えを、接触式の静電容量スイッチにより行うこともできる。
【０１５６】  回路基板１９は、ＬＥＤ光源２３ａ、２３ｂを制御する制御基板であり、例えばガラエポ基板などのリジット基板である。回路基板１９上の回路にＬＥＤ光源２３ａは直接半田実装される。さらに、回路基板１９にはフレキシブルフラットケーブル２１が接続され、回路基板１９と離れた位置にあるＬＥＤ光源２３ｂとを接続される。
【０１５７】  より詳細には、回路基板１９は、内側枠体３ａの壁部２９ａの外側に配置される。回路基板１９には、基板上の回路によって切換えスイッチ５が繋がれる。なお、回路基板１９の回路と切換えスイッチ５は、直接接続されてもよく、回路基板１９と切換えスイッチ５の端子とを配線によって接続してもよい。光透過部１１ａ上には、切換えスイッチ５の操作部が露出する。
【０１５８】  さらに、回路基板１９には端子７が接続され、端子７が、外側枠体３ｂの壁部２９ｂを貫通して、外側枠体３ｂの外部に露出する。回路基板１９上には、ＬＥＤ光源２３ａが実装され、ＬＥＤ光源２３ａの発光面は、内側枠体３ａの壁部２９ａに形成された孔を介して導光空間２５ａに露出する。
【０１５９】  また、回路基板１９の回路には、フレキシブルフラットケーブル２１の配線が接続される。フレキシブルフラットケーブル２１は、内側枠体３ａの壁部２９ａから曲面部３１ａに沿って配置される。フレキシブルフラットケーブル２１には、ＬＥＤ光源２３ｂが接続される。すなわち、切換えスイッチ５とＬＥＤ光源２３ａを結ぶ配線がリジットな回路基板１９で構成され、回路基板１９とＬＥＤ光源２３ｂを結ぶ配線がフレキシブルフラットケーブル２１で構成される。
【０１６０】  なお、フレキシブルフラットケーブル２１は、回路導体（例えば銅箔または銅線により形成された回路）が樹脂（例えばポリエチレンテレフタレート（ＰＥＴ）やポリイミドフィルム）で上下面から被覆又は接着された複層のケーブルである。所定の長さに切断されたフレキシブルフラットケーブル２１の内部には、少なくとも一対の回路導体が形成されている。すなわち、回路導体がＬＥＤ光源と切換えスイッチ５や電流制限素子等を接続する配線となる。
【０１６１】  導光空間２５ｂ内の光が、切換えスイッチ５等に向けて照射されることを防止するために、切換えスイッチ５等が配置される空間と導光空間２５ｂとの間には、別途反射板を配置してもよい。また、導光空間２５ｂに露出するフレキシブルフラットケーブル２１の表面（導光空間２５ｂへの露出面）には、反射フィルム（反射板）を貼りつけてもよい。この場合、例えば、フレキシブルフラットケーブル２１の表面にマイクロ発泡樹脂シートや、拡散反射フィルム、または金属フィルムなどを貼り付ければよい。また、フレキシブルフラットケーブル２１の絶縁体として、マイクロ発泡樹脂を用いてもよい。このように、配線としてフレキシブルフラットケーブル２１を用いれば、内側枠体３ａの曲面部３１ａに沿わせた配線やＬＥＤ光源２３ｂの実装をすることができる。
【０１６２】  次に、本発明のＬＥＤ照明装置１の機能について説明する。前述したように、切換えスイッチ５を切り替えることで、ＬＥＤ光源２３ａ、２３ｂの点灯の切り替えを行うことができる。
【０１６３】  ＬＥＤ光源２３ａが点灯した際には、ＬＥＤ光源２３ａからの光は、内側枠体３ａの表面側で拡散反射を繰り返して、光取り出し部９ａから光が出射する。すなわち、ＬＥＤ光源２３ａからの光は、導光空間２５ａ内で拡散反射されて、光取り出し部９ａに入射し、一部が光透過部１１ａの表面や内面で反射し、他の一部が光取り出し部９ａから出射する。この際、前述した様に、光透過防止部材１５によって、ＬＥＤ光源２３ａからの直接光が光取り出し部９ａから出射することを抑制することができる。このため、グレア感が少なく、均一な光を光取り出し部９ａから取り出すことができる。ここで、光透過部１１ａが光拡散機能を有する場合や、照明装置の設置用途における視野角などによってグレア感があまり生じない場合や、多少のグレア感を許容する場合には、光透過防止部材１５を設ける必要がない。
【０１６４】  なお、特に図示しないが、ＬＥＤ光源２３ａの直上部における、光取り出し部９ａに設けられる光透過部材１１の厚さを、光透過部材１１の他部分より厚くすることで、ＬＥＤ光源２３ａからの直接照射光を減衰させることもできる。このように、光透過部材１１の厚さの厚い部分で光を吸収することで、ＬＥＤ光源２３ａの直上でも、グレア感を少なくすることができる。
【０１６５】  また、切換えスイッチ５によって、いずれか一方のＬＥＤ光源２３ａのみを点灯することができる。また、切換えスイッチ５によって、一対のＬＥＤ光源２３ａを同時に両方を消灯または点灯することもできる。
【０１６６】  一方、切換えスイッチ５を切り替えて、ＬＥＤ光源２３ｂが点灯した際には、ＬＥＤ光源２３ｂからの光は、内側枠体３ａの裏面側と外側枠体３ｂの表面側で拡散反射を繰り返して、光取り出し部９ｂに入射した光は、一部が光透過部１１ｂの表面や内面で反射し、一部が光取り出し部９ｂを透過して光取り出し部９ｂから出射する。ＬＥＤ光源２３ｂは、導光空間２５ｂの開口部から視認できない位置に取り付けられ、更にＬＥＤ光源２３ｂからの光は、導光空間２５ｂ内で多数回拡散反射されて、光取り出し部９ｂから光が出射する。この際、導光空間２５ｂが、内側枠体３ａの背面側に位置するため、ＬＥＤ光源２３ｂからの直接光が光取り出し部９ｂから出射することがない。このため、グレア感が少なく、均一な光を光取り出し部９ｂから取り出すことができる。
【０１６７】  例えば、光取り出し部９ａの周囲を囲むように光取り出し部９ｂを形成したＬＥＤ照明装置１において、従来のように、単に、導光空間を区分して並べて配置し、それぞれの導光空間にそれぞれＬＥＤ光源を配置しただけでは、ＬＥＤ光源に近い部位が明るく、遠くなるにつれて暗くなるため、均一性の高い光を取り出すことができない。また、ＬＥＤ光源２３ｂから光取り出し部９ｂまでの距離をある定程度以上あけて、拡散反射を繰り返させるように導光空間に形成したのでは、照明装置が大型化する。
【０１６８】  これに対し、本実施形態では、導光空間２５ａ、２５ｂが積層構造であり、ＬＥＤ光源２３ｂが、導光空間２５ａの背面側の導光空間２５ｂに配置され、光取り出し部９ｂまでの距離（拡散反射区間）を長くすることができる。また、導光空間２５ｂを曲がった導光空間とすることで、導光空間２５ｂ内での拡散反射の角度を調整し光取り出し部９ｂに向かう照明光の量を調整できるので均一な光を取り出すことができる。この結果、例えば、１つのＬＥＤ光源であっても均一性の高い光を取り出すことができる。また、この際、導光空間２５ａ、２５ｂが並列して重なり合うため、併設する場合(同一平面で導光空間を形成する場合)と比較して小型化を達成することができる。
【０１６９】  以上、本実施の形態によれば、内側枠体３ａと外側枠体３ｂとがそれぞれマイクロ発泡樹脂製の反射板として機能するため、枠体３の他に反射板を別体で設置する必要がない。このため、部品点数を抑えることができる。
【０１７０】  また、マイクロ発泡樹脂製の反射板を用いることで、軽量であり、強度も強くなるので複雑な形状にも対応可能で、効率良く光を拡散反射させることができる。また、ＬＥＤ光源２３ｂから光取り出し部９ｂまで、曲がった形状の導光空間２５ｂを形成することができる。このため、光取り出し部９ｂにおいて均一に面発光させることができる。
【０１７１】  ここで、光反射板にマイクロ発泡樹脂を用いることで、光反射率を高くできることから、光反射回数が多少異なっても、開口部から取出される光の照度は、部位によらずあまり変わらない。また、ＬＥＤ光源２３ａ、２３ｂから各光取り出し部９ａ、９ｂまでの距離や、内側枠体３ａと外側枠体３ｂとの間の各部における距離などを調整することで、ＬＥＤ光源２３ａ、２３ｂから各光取り出し部９ａ、９ｂまでの拡散反射回数をほぼ同等に設計することが可能となり、各光取り出し部９ａ、９ｂにおける面発光をさらに均一にできる。
【０１７２】  また、内側枠体３ａと外側枠体３ｂが、互いに離間して重ね合わせられるため、内側枠体３ａの表面側と裏面側に、互いに独立した導光空間２５ａ、２５ｂを形成することができる。すなわち、内側枠体３ａは、その表面と裏面の両方を反射板として機能させることができる。さらに、内側枠体３ａのそれ自体を、導光空間２５ａ、２５ｂを仕切るための区画板として機能させることができる。
【０１７３】  また、それぞれの導光空間２５ａでは、内側枠体３ａの表面側で光を拡散反射させることができる。また、光透過部１１ａを光が透過する際に、光透過部１１ａに入射・透過した照明光の一部を拡散反射することにより、光取り出し部９ａからの光を均一にできる。また、導光空間２５ｂでは、内側枠体３ａの裏面側と外側枠体３ｂの表面側で光を拡散反射させることで、光取り出し部９ｂからの光を均一にできる。
【０１７４】  また、光透過部１１ｂを光が透過する際に、光透過部１１ｂに入射・透過した照明光の一部を拡散反射することで更に光を均一にすることができる。この際、導光空間２５ａ、２５ｂを複数層構造とすることで、ＬＥＤ照明装置１を小型化することができる。
【０１７５】  したがって、第１の実施形態においては、少なくとも光透過部１１ａからは内側枠体３ａの開口部２７ａの開口面方向の光を取り出し、光透過部１１ｂからは、内側枠体３ａの開口部２７ａの開口面方向と直交する側面方向の光を取り出すことができる。
【０１７６】  また、内側枠体３ａの裏面側と外側枠体３ｂの表面側の、互いの対向面において、突部１７が形成されるため、内側枠体３ａと外側枠体３ｂとの隙間を確実に維持することができる。
【０１７７】  また、ＬＥＤ光源２３ａの直上に、光透過防止部材１５が設けられるため、ＬＥＤ光源２３ａからの直接光を遮蔽することができ、グレア感を低減することができる。
【０１７８】  また、配線としてフレキシブルフラットケーブル２１を使用することで、フレキシブルフラットケーブル２１を枠体３上で自由に折り曲げることができる。このため、配線の設置が容易である。
【０１７９】  なお、本発明のＬＥＤ照明装置は、雰囲気照明用、室内照明用、自動車照明用、鉄道車輛用、または航空機用照明装置に特に好適である。例えば、車の室内ランプ（車両の天井照明）として使用した場合、光取り出し部９ｂの側面からの照明光は、天井を照らすことができ、光取り出し部９ａからの照明光は室内を照らすことができる。また、それぞれの光取り出し部９ａからの光を切り替えることで、照射位置を変えることができる。この際、天井に照らす照明の色と、室内を照らす照明の色とを使い分けることでき、クルマの室内空間を演出する性能を大幅に向上できる。
【０１８０】（第２実施形態）  次に、第２の実施形態について説明する。図５は、第２の実施形態にかかるＬＥＤ照明装置１ａを示す断面図であり、図６は、図５のＣ−Ｃ線断面図、図７は、図５のＤ−Ｄ線断面図である。なお、以下の説明において、ＬＥＤ照明装置１と同一の機能を奏する構成については、図１〜図４と同一の符号を付し、重複する説明を省略する。
【０１８１】  ＬＥＤ照明装置１ａは、内側枠体３ａの窪み部３３ａが二つではなく一つであり、内側枠体３ａに配置されるＬＥＤ光源２３ａが一つである点が異なる。その他の構成は、ＬＥＤ照明装置１と同様である。内側枠体３ａの開口部２７ａは、略同一平面上に形成される。
【０１８２】  第２の実施形態によれば、第１の実施形態と同様の効果を得ることができる。すなわち、ＬＥＤ照明装置１ａは、内側枠体３ａのＬＥＤ光源２３ａが一つしかないため、ＬＥＤ照明装置１のように、内側枠体３ａのＬＥＤ光源２３ａの片方を消灯または点灯し、内側枠体３ａの点灯部を相互に切り替える操作機能は有しないが、その他についてはＬＥＤ照明装置１と同様の効果を得ることができる。
【０１８３】（第３実施形態）  次に、第３の実施形態について説明する。図８は、第３の実施形態にかかるＬＥＤ照明装置１ｂを示す断面図であり、図２に対応する断面図である。
【０１８４】  ＬＥＤ照明装置１ｂは、ＬＥＤ照明装置１とほぼ同様の構成であるが、フレキシブルフラットケーブル２１が用いられずに、回路基板１９のみに全ての部品が実装される点が異なる。回路基板１９は、内側枠体３ａの壁部２９ａの外面側に配置される。回路基板１９は、さらに、外側枠体３ｂの曲面部３１ｂ方向に向けて、壁部２９ａの延長方向に突出する。
【０１８５】  回路基板１９の同一面方向には、ＬＥＤ光源２３ａ、２３ｂが互いに離間して配置される。一対のＬＥＤ光源２３ａは、内側枠体３ａのそれぞれの壁部２９ａに形成された孔を介してそれぞれの導光空間２５ａに露出する。また、ＬＥＤ光源２３ｂは、導光空間２５ｂにおいて、外側枠体３ｂの曲面部３１ｂの表面側（または、内側枠体３ａの曲面部３１ａの裏面側）に向けて光を照射する。
【０１８６】  回路基板１９の導光空間２５ｂに面する面には、反射板２０を設けられる。このようにすることで、ＬＥＤ光源２３ｂからの光が、回路基板１９で吸収されることを抑制することができる。なお、反射板２０はマイクロ発泡樹脂からなることが望ましい。
【０１８７】  第３の実施の形態によれば、第１の実施の形態と同様の効果を得ることができる。また、回路基板１９のみで他の配線がないので、部品点数が少なく、配線の作業が不要で、しかもフレキシブルフラットケーブル２１と比較して、剛性も高い。
【０１８８】  したがって、第３の実施形態においては、第１の実施形態と同様に、光透過部１１ａからは内側枠体３ａの開口部２７ａの開口面方向の光を取り出し、光透過部１１ｂからは、内側枠体３ａの開口部２７ａの開口面方向と直交する側面方向の光を取り出すことができる。
【０１８９】  なお、第３の実施形態においても、内側枠体３ａの窪み部を二つではなく、一つとし、内側枠体３ａに配置されるＬＥＤ光源２３ａを一つとしてもよい。すなわち、第２の実施形態に対して、フレキシブルフラットケーブル２１が用いられずに、回路基板１９のみに全ての部品が実装されてもよい。
【０１９０】  このようにしても、第３の実施の形態と同様の効果を得ることができる。すなわち、回路基板１９のみで他の配線がないので、部品点数が少なく、配線の作業が不要で、しかもフレキシブルフラットケーブル２１と比較して、剛性も高い。したがって、光透過部１１ａからは内側枠体３ａの開口部２７ａの開口面方向の光を取り出し、光透過部１１ｂからは、内側枠体３ａの開口部２７ａの開口面方向と直交する側面方向の光を取り出すことができる。第３の実施形態では、第１の実施形態と同様の光取り出し効果を得ることができる。
【０１９１】（第４実施形態）  次に、第４の実施形態について説明する。図９は、第４の実施形態にかかるＬＥＤ照明装置１ｃを示す断面図である。ＬＥＤ照明装置１ｃは、ＬＥＤ照明装置１とほぼ同様の構成であるが、光取り出し部９ｂが、光取り出し部９ａと同一方向にも形成される点で異なる。
【０１９２】  前述した実施形態では、光取り出し部９ｂはＬＥＤ照明装置１ｂの側方にのみ形成され、光取り出し部９ａ、９ｂの出射方向は、互いに垂直な方向であった。これに対し、ＬＥＤ照明装置１ｃの光取り出し部９ｂは、光取り出し部９ａと同一方向と、光取り出し部９ａと直交する方向の２方向に形成される。
【０１９３】  そのため、第４の実施形態においては、光取り出し部９ａからは内側枠体の開口部２７ａの開口面方向に光を取り出し、光取り出し部９ｂからは、内側枠体３ａの開口部２７ａの開口面方向と内側枠体３ａの開口部２７ａの開口面方向と直交するＬＥＤ照明装置の側面方向の２方向に光を取り出すことができる。ここで、光取り出し部９ｂからは、内側枠体３ａの開口部２７ａの開口面方向と内側枠体３ａの開口部２７ａの開口面方向と直交するＬＥＤ照明装置の側面方向の２方向の間の斜めの方向の光をも取り出すことができることは言うまでもない。
【０１９４】  この場合には、光取り出し部９ａが、光透過部１１ａによって覆われるとともに、光透過部１１ａは導光空間２５ｂまで延設される。したがって、光取り出し部９ｂは、光透過部１１ａと光透過部１１ｂによって覆われる。この際、光透過部１１ａと光透過部１１ｂとは所定角度で交わり、互いに異なる方向に向けて配置される。
【０１９５】  この際、内側枠体３ａの開口部２７ａの縁部近傍が光透過部１１ａと接触して固定される。さらに光透過部１１ｂは、光透過部１１ａの端部から所定角度で形成され、外側枠体３ｂの開口部２７ｂの縁部近傍が光透過部１１ｂの端部と接触して固定される。
【０１９６】  なお、この場合でも、内側枠体３ａの開口部２７ａの縁部近傍の一部に、光透過部１１ａの延設部に沿ってマイクロ発泡樹脂からなるフランジ状の反射板３５ａを形成してもよい。この場合、フランジ状の反射板３５ａが、光透過部１１ａの端部まで設けられれば、図１に示したＬＥＤ照明装置１と同様となるが、本実施形態では、光透過部１１ｂの手前まで形成すればよい。ここで、フランジ状の反射板３５ａを形成する場合は、光透過部１１ａの内面に貼り付けて固定するか、密接させることが望ましい。
【０１９７】  第４の実施の形態によれば、第１の実施の形態と同様の効果を得ることができる。また、外側枠体３ｂは、内側枠体３ａの近傍で、内側枠体３ａの開口部２７ａより後方に拡開して設けられる。このため、本実施形態のＬＥＤ照明装置１ｃによれば、ＬＥＤ光源２３ａからの光を、導光空間２５ａの開口部２７ａから内側枠体３ａの開口面方向に取り出し、ＬＥＤ光源２３ｂからの光を、導光空間２５ｂの開口部から、内側枠体３ａの開口面方向から内側枠体３ａの外周方向に至る方向に取り出すことができる。
【０１９８】  このように、本実施形態では、光取り出し部９ｂを、光透過部１１ａの延設部と光透過部１１ｂとの複数方向に向けて形成し、導光空間２５ｂの光を、ＬＥＤ照明装置１ｃの前面側（図中上方）と側方の両方に向けて出射してもよい。すなわち、光取り出し部９ｂは、光透過部１１ａの延設部と光透過部１１ｂによって覆われてもよい。
【０１９９】  なお、第４の実施形態においても、内側枠体３ａの窪み部を二つではなく、一つとし、内側枠体３ａに配置されるＬＥＤ光源２３ａを一つとしてもよい。すなわち、窪み部が一つ形成される第２の実施形態に対して、光取り出し部９ｂが、光取り出し部９ａと同一方向にも形成されてもよい。
【０２００】  このように窪み部が一つ形成される場合であっても、第４の実施の形態と同様の効果を得ることができる。すなわち、ＬＥＤ光源２３ａからの光を、導光空間２５ａの開口部２７ａから内側枠体３ａの開口面方向に取り出し、ＬＥＤ光源２３ｂからの光を、導光空間２５ｂの開口部から、内側枠体３ａの開口面方向から内側枠体３ａの外周方向に至る方向に取り出すことができる。
【０２０１】（第５実施形態）  次に、第５の実施形態について説明する。図１０は、第５の実施形態にかかるＬＥＤ照明装置１ｄを示す断面図である。ＬＥＤ照明装置１ｄは、ＬＥＤ照明装置１とほぼ同様の構成であるが、光透過部１１ａに延設部が存在しない点が異なる。
【０２０２】  光透過部１１ａと光透過部１１ｂとが一体の光透過部材１１では、光透過部１１ａと光透過部１１ｂとが所定角度で交わり、互いに異なる方向の面を有している。光透過部１１ａと光透過部１１ｂの境界は、内側枠体３ａの端部が接触した場所である。図１０では、光透過部１１ａと光透過部１１ｂの角度が鈍角である、光透過部材１１の角部に内側枠体３ａが接触しており、光透過部材１１の角部が光透過部１１ａと光透過部１１ｂの境界を形成している。
【０２０３】  光透過部１１ａは、平面部１２ａを構成し、光透過部１１ｂが斜面部１２ｂを構成する。すなわち、光透過部１１ａと光透過部１１ｂを合わせた形状は、平面部１２ａと斜面部１２ｂからなる皿状の形状である。
【０２０４】  ここで、内側枠体３ａの開口部２７ａの端部近傍は、光透過部１１ａの端部近傍に当接し、固定される。外側枠体３ｂの端部は、折曲げられた光透過部１１ｂの下部に当接し、固定される。また、光取り出し部９ａは、光透過部１１ａによって覆われ、光取り出し部９ｂは、光透過部１１ｂのみによって覆われる。
【０２０５】  なお、内側枠体３ａと外側枠体３ｂの大きさは、適宜調整することができる、例えば、外側枠体３ｂの開口部２７ｂを、内側枠体３ａの開口部２７ａより大きく形成した場合は、光透過部１１ａと光透過部１１ｂのなす角は鈍角になり、外側枠体３ｂの開口部２７ｂを内側枠体３ａの開口部２７ａより小さく形成した場合は、光透過部１１ａと光透過部１１ｂのなす角は鋭角になる。このように、光透過部１１ａと光透過部１１ｂのなす角を鋭角、垂直、鈍角のいずれに形成したとしても、例えば、その形成角が所定範囲の６０°から１２０°の範囲に形成されていれば、光取り出し部９ｂから内側枠体３ａの外周方向を中心とした光を取り出すことができる。
【０２０６】  また、内側枠体３ａの端部において、光透過部１１ａと光透過部１１ｂとが直交するようにしてもよい。この場合でも、内側枠体３ａの端部は、光透過部１１ａと光透過部１１ｂとが直交する部位に当接し、固定される。外側枠体３ｂの端部は、折曲げられた光透過部１１ｂの下部に当接し、固定される。なお、この場合には、平面視において、ＬＥＤ照明装置１ｄの外側枠体３ｂの開口部２７ｂは、内側枠体３ａの開口部２７ａと同一の大きさに形成される。また、光取り出し部９ａは、光透過部１１ａによって覆われ、光取り出し部９ｂは、光取り出し部９ａと直交する光透過部１１ｂのみによって覆われる。
【０２０７】  したがって、第５の実施形態では、第１の実施形態の場合と同様に、光透過部１１ａからは内側枠体３ａの開口部２７ａの開口面方向の光を取り出し、光透過部１１ｂからは、内側枠体３ａの開口部２７ａの開口面方向と所定角度で交わる側面方向の光を取り出すことができる。
【０２０８】  特に、光透過部１１ａと光透過部１１ｂが直交する場合には、光透過部１１ｂからは、内側枠体３ａの開口部２７ａの開口面方向とこれと垂直に交わる側面方向の光を取り出すことができる。
【０２０９】  第５の実施の形態によれば、第１の実施形態に対して、フランジ状の反射板３５ａの分だけ、照明装置のサイズを小さくすることができる。
【０２１０】  また、光取り出し部９ａ、９ｂから、それぞれのなす角度に応じて、異なる方向に光を取り出すことができる。すなわち、第５の実施形態によるＬＥＤ照明装置の光取り出し方法によれば、光透過部１１ａからは内側枠体３ａの開口部２７ａの開口面方向の光を取り出し、光透過部１１ｂからは、内側枠体３ａの開口部２７ａの開口面方向とこれと所定角度で交わる側面方向の光を取り出すことができる。特に、光透過部１１ａと光透過部１１ｂが直交する場合には、光透過部１１ｂからは、内側枠体３ａの開口部２７ａの開口面方向からこれと垂直に交わる側面方向の光を取り出すことができる。
【０２１１】  このように、光取り出し部９ａからは内側枠体３ａの開口部２７ａの開口方向の光を取り出し、光取り出し部９ｂからは、内側枠体３ａの開口部２７ａの開口方向または内側枠体３ａの開口部２７ａの開口面方向と直交する側面方向の少なくともいずれかの方向を含む方向の光を取り出すことができる。
【０２１２】  なお、第５の実施形態においても、内側枠体３ａの窪み部を二つではなく、一つとし、内側枠体３ａに配置されるＬＥＤ光源２３ａを一つとしてもよい。すなわち、窪み部が一つ形成される第２の実施形態に対して、光透過部１１ａに延設部が存在しなくてもよい。
【０２１３】  このように窪み部が一つ形成される場合であっても、第５の実施の形態と同様の効果を得ることができる。すなわち、ＬＥＤ照明装置１ａに対して、フランジ状の反射板３５ａの分だけ、照明装置のサイズを小さくすることができる。また、光透過部１１ａからは内側枠体３ａの開口部２７ａの開口面方向の光を取り出し、光透過部１１ｂからは、内側枠体３ａの開口部２７ａの開口面方向と所定角度で交わる側面方向の光を取り出すことができる。
【０２１４】（第６実施形態）  次に、第６の実施形態について説明する。図１１は、第６の実施形態にかかるＬＥＤ照明装置１ｅを示す断面図である。ＬＥＤ照明装置１ｅは、ＬＥＤ照明装置１とほぼ同様の構成であるが、光取り出し部９ａ、９ｂが同一方向に向けて形成される点で異なる。
【０２１５】  一体の光透過部材１１の光透過部１１ａと光透過部１１ｂは、略直線上に設けられ、同一方向の面を有している。光透過部１１ａと光透過部１１ｂの境界は、内側枠体３ａの端部が接触した場所である。
【０２１６】  すなわち、ＬＥＤ照明装置１ｅは、内側枠体３ａの開口部２７ａが、外側枠体３ｂの開口部２７ｂと同一平面上に形成され、光取り出し部９ａと光取り出し部９ｂが、同一平面上に形成される。
【０２１７】  また、内側枠体３ａの開口部２７ａの縁部近傍は、光透過部１１ａの端部に接触し、固定される。外側枠体３ｂの開口部２７ｂの縁部近傍は、光透過部１１ｂの端部に接触し、固定される。なお、内側枠体３ａ、外側枠体３ｂの端部は、光透過部１１ａ、１１ｂに沿って折り曲げられてもよい。また、内側枠体３ａの開口部２７ａの縁部近傍は、光透過部１１ａの端部に溝を形成し、溝にはめ込むことで、固定され、外側枠体３ｂの開口部２７ｂの縁部近傍は、光透過部１１ｂの端部に溝を形成し、溝にはめ込むことで固定されても良い。このように、光取り出し部９ａは、光透過部１１ａによって覆われ、光取り出し部９ｂは、光取り出し部９ａと同一平面上に形成された光透過部１１ｂのみによって覆われる。
【０２１８】  第６の実施の形態によれば、一対の光取り出し部９ａの周囲を囲むように光取り出し部９ｂが形成され、一対の光取り出し部９ａおよび光取り出し部９ｂから、同一方向に向けて、それぞれが独立して異なる部位に光を照射することができる。
【０２１９】  また、第６の実施形態では、第１の実施形態の場合と異なり、光透過部１１ａ、１１ｂともに内側枠体３ａの開口部２７ａの開口面方向の光を取り出すことができる。
【０２２０】  なお、第６の実施形態においても、内側枠体３ａの窪み部を二つではなく、一つとし、内側枠体３ａに配置されるＬＥＤ光源２３ａを一つとしてもよい。すなわち、窪み部が一つ形成される第２の実施形態に対して、光取り出し部９ａ、９ｂが同一方向に向けて形成されてもよい。
【０２２１】  このように窪み部が一つ形成される場合であっても、第６の実施の形態と同様の効果を得ることができる。すなわち、内側枠体３ａの開口部２７ａが、外側枠体３ｂの開口部２７ｂと同一平面上に形成され、光取り出し部９ａと光取り出し部９ｂが、同一平面上に形成され、光透過部１１ａ、１１ｂともに内側枠体３ａの開口部２７ａの開口面方向の光を取り出すことができる。
【０２２２】（第７実施形態）  次に、第７の実施形態について説明する。図１２は、第７の実施形態にかかるＬＥＤ照明装置１ｆを示す断面図である。ＬＥＤ照明装置１ｆは、ＬＥＤ照明装置１とほぼ同様の構成であるが、外側枠体３ｂの端部が、フランジ状に折り曲げられる点で異なる。
【０２２３】  一体の光透過部材１１の光透過部１１ａと光透過部１１ｂは、所定角度で交わり、互いに異なる方向の面を有している。光透過部１１ａと光透過部１１ｂの境界は、内側枠体３ａのフランジ状の反射板３５ａの端部が接触した場所である。図９では、光透過部１１ａと光透過部１１ｂとが直交し、光透過部材１１の角部にフランジ状の反射板３５ａの端部が接触しており、光透過部１１ａと光透過部１１ｂの境界を形成している。
【０２２４】  内側枠体３ａの先端は、内側枠体３ａの外周方向にフランジ状に光透過部１１ａに沿って折り曲げられる（フランジ状の反射板３５ａ）。また、外側枠体３ｂの先端は、外側枠体３ｂの外周方向にフランジ状に内側枠体３ａのフランジ状の反射板３５ａに略平行に折り曲げられる。
【０２２５】  ここで、内側枠体３ａの開口部２７ａの端部近傍（フランジ状の反射板３５ａ）は、光透過部１１ａの端部近傍に当接し、固定される。外側枠体３ｂのフランジ状に折り曲げられた部位は、折曲げられた光透過部１１ｂの下部に当接し、固定される。なお、平面視において、ＬＥＤ照明装置１ｆの外側枠体３ｂの開口部２７ｂは、内側枠体３ａの開口部２７ａと同一の大きさに形成される。また、光取り出し部９ａは、光透過部１１ａによって覆われ、光取り出し部９ｂは、光取り出し部９ａと直交する光透過部１１ｂのみによって覆われる。
【０２２６】  したがって、第７の実施形態では、第１の実施形態の場合と同様に、光取り出し部９ａからは内側枠体３ａの開口部２７ａの開口面方向の光を取り出し、光取り出し部９ｂからは、内側枠体３ａの開口部２７ａの開口面方向と所定角度で交わる側面方向の光を取り出すことができる。ただし、代表的な構成として、光透過部１１ａと光透過部１１ｂが直交する場合には、光取り出し部９ｂからは、内側枠体３ａの開口部２７ａの開口面方向とこれと垂直に交わる側面方向の光を取り出すことができる。
【０２２７】  第７の実施の形態によれば、第１の実施の形態と同様の効果を得ることができる。このように、本発明では、内側枠体３ａ、外側枠体３ｂの縁部近傍をフランジ状に折り曲げてもよい。
【０２２８】  なお、第７の実施形態においても、内側枠体３ａの窪み部を二つではなく、一つとし、内側枠体３ａに配置されるＬＥＤ光源２３ａを一つとしてもよい。すなわち、第１の実施形態に対して、外側枠体３ｂの端部が、フランジ状に折り曲げられてもよい。
【０２２９】  このように窪み部が一つ形成される場合であっても、第７の実施の形態と同様の効果を得ることができる。すなわち、光取り出し部９ａからは内側枠体３ａの開口部２７ａの開口面方向の光を取り出し、光取り出し部９ｂからは、内側枠体３ａの開口部２７ａの開口面方向とこれと垂直に交わる側面方向の光を取り出すことができる。光取り出し部９ｂが内側枠体３ａの開口部２７ａの開口面方向と所定角度で交わる場合は、内側枠体３ａの開口部２７ａの開口面方向と所定角度で交わる側面方向の光を取り出すことができる。
【０２３０】（第８実施形態）  次に、第８の実施形態について説明する。図１３は、第８の実施形態にかかるＬＥＤ照明装置１ｇを示す断面図である。ＬＥＤ照明装置１ｇは、ＬＥＤ照明装置１ｅと同様に光取り出し部９ａ、９ｂが同一方向に向けて形成される照明装置である。
【０２３１】  ＬＥＤ照明装置１ｇは、ＬＥＤ照明装置１とほぼ同様の構成であるが、回路基板１９が用いられずに、フレキシブルフラットケーブル２１のみによって配線される点で異なる。図示した例では、外側枠体３ｂの壁部２９ｂの外側に、切換えスイッチ５と端子７が配置される。切換えスイッチ５は、フレキシブルフラットケーブル２１に接続される。
【０２３２】  光の利用効率を高めるために、フレキシブルフラットケーブル２１の導光空間側の面には、フレキシブルフラットケーブル２１を覆うように、反射機能層を設ける。好ましくはマイクロ発泡樹脂製シートなどによる拡散反射機能を持つ層を設けることが好ましい。また、フレキシブルフラットケーブル２１に直接ＬＥＤ素子を半田実装し、半田実装した部分も反射機能層で覆われていることが好ましい。
【０２３３】  ＬＥＤ照明装置１ｇでは、詳細を後述するフレキシブルフラットケーブル２１が２つ用いられる。ここで、フレキシブルフラットケーブル２１には、２本の配線が形成されたものを用いる。例えば、一方のフレキシブルフラットケーブル２１の所定の位置には、ＬＥＤ光源２３ａを２個、他方のフレキシブルフラットケーブル２１には、２３ｂが配置される。ＬＥＤ光源２３ａ、２３ｂは、それぞれ一方と他方の異なるフレキシブルフラットケーブル２１と接続される。
【０２３４】  なお、フレキシブルフラットケーブル２１に詳細は後述するが、切換えスイッチ５とＬＥＤ光源２３ａを結ぶ配線３９と、切換えスイッチ５とＬＥＤ光源２３ｂを結ぶ配線３９が異なる配線となる。このため、切換えスイッチ５によって、ＬＥＤ光源２３ａ、２３ｂのそれぞれの回路を切換えることができる。
【０２３５】  図１３に示すように、フレキシブルフラットケーブル２１は、それぞれの内側枠体３ａの窪み部３３ａの幅方向の略中央に、内側枠体３ａに添ってそれぞれ配置される。ＬＥＤ光源２３ａは、内側枠体３ａの壁部２９ａに形成された孔を介して導光空間２５ａに露出する。また、異なるフレキシブルフラットケーブル２１に接続されたＬＥＤ光源２３ｂは、２つの内側枠体３ａの窪み部３３ａの境界部近傍の裏面側に配置され、外側枠体３ｂの表面側に向けて配置される。
【０２３６】  この構成とすることで、内側枠体の３ａの内部でＬＥＤ光源２３ａから出射した照射光の戻り光をフレキシブルフラットケーブル２１により吸収することがないので、照明光の利用効率を高めることができる。第２の導光空間の露出したフレキシブルフラットケーブル２１のそれぞれの表面に反射層を形成することで、フレキシブルフラットケーブル２１による照明光の吸収を防止できるので、同様に照明光の利用効率を高めることができる。
【０２３７】  第８の実施の形態によれば、第６の実施の形態と同様の効果を得ることができる。また、フレキシブルフラットケーブル２１のみで配線を行うことで、構造が簡易となり、配線の設置も容易である。
【０２３８】  また、フレキシブルフラットケーブル２１の導光空間側の面には、例えば、マイクロ発泡樹脂による反射機能層を設けることで、配線による照明光が吸収されることが実質上ないので、照明光の利用効率を低下させることがない。クルマの室内照明に使った場合、室内を照らす照明の色と照明装置の輪郭を照らす照明の色を独立に設定できるので、室内の照明による演出効果を高めることができる。
【０２３９】  なお、第８の実施形態においても、内側枠体３ａの窪み部を二つではなく、一つとし、内側枠体３ａに配置されるＬＥＤ光源２３ａを一つとしてもよい。すなわち、窪み部が一つ形成される第２の実施形態に対して、回路基板１９が用いられずに、フレキシブルフラットケーブル２１のみによって配線されてもよい。
【０２４０】  この場合でも、外側枠体３ｂの壁部２９ｂの外側に、切換えスイッチ５と端子７が配置される。切換えスイッチ５は、フレキシブルフラットケーブル２１に接続される。内側枠体のＬＥＤ光源２３ａと外側枠体のＬＥＤ光源２３ｂは、別々のフレキシブルフラットケーブル２１を用いても良いが、共用配線を用いることで配線の効率化が図れる。
【０２４１】  図１４は、フレキシブルフラットケーブル２１を示す図である。フレキシブルフラットケーブル２１には、３本の配線３９が形成される。フレキシブルフラットケーブル２１の所定の位置には、互いに離間して、ＬＥＤ光源２３ａ、２３ｂが配置される。ＬＥＤ光源２３ａ、２３ｂは、配線３９と接続される。なお、フレキシブルフラットケーブル２１の面に対して、ＬＥＤ光源２３ａ、２３ｂは、相互に反対向きに接続される。すなわち、ＬＥＤ光源２３ａ、２３ｂは、互いに所定距離離間して、配線３９の配線面に対して、相互に反対向きに接続される。
【０２４２】  ここで、切換えスイッチ５とＬＥＤ光源２３ａを結ぶ配線３９と、切換えスイッチ５とＬＥＤ光源２３ｂを結ぶ配線３９が共用配線となる。より具体的には、３本の配線３９の１本を共有化してそれぞれが接続される。切換えスイッチ５によって、ＬＥＤ光源２３ａ、２３ｂのそれぞれの回路が切換えられる。
【０２４３】  また、フレキシブルフラットケーブル２１（共用配線）は、内側枠体３ａの窪み部３３ａの幅方向の略中央に、内側枠体３ａに添って配置される。ＬＥＤ光源２３ａは、内側枠体３ａの壁部２９ａに形成された孔を介して導光空間２５ａに露出する。また、ＬＥＤ光源２３ｂは、内側枠体３ａの窪み部３３ａの裏面側に配置され、外側枠体３ｂの表面側に向けて配置される。
【０２４４】  上記の構成とすることで、第８の実施形態と同様の効果を得ることができる。すなわち、フレキシブルフラットケーブル２１のみで配線を行うことで、構造が簡易となり、配線の設置も容易である。特に、共用配線を用いることで、構造が簡易となる。
【０２４５】  また、フレキシブルフラットケーブル２１に反射機能層を設けることで、配線により照明光が吸収されることがないので、照明光の利用効率を低下させることがない。すなわち、フレキシブルフラットケーブル２１による照明光の吸収を防止できるので、同様に照明光の利用効率を高めることができる。
【０２４６】（第９実施形態）  次に、第９の実施形態について説明する。図１５は、第９の実施形態にかかるＬＥＤ照明装置１ｈを示す断面図である。ＬＥＤ照明装置１ｈは、ＬＥＤ照明装置１と略同様の構成であるが、内側枠体３ａの窪み部３３ａが二つではなく、一つであり、内側枠体３ａと外側枠体３ｂが別体で成形される点で異なる。
【０２４７】  ＬＥＤ照明装置１ｈは、内側枠体３ａの窪み部３３ａが一つであり、内側枠体３ａに配置されるＬＥＤ光源２３ａが一つであるため、フレキシブルフラットケーブル２１に接続される内側枠体３ａのＬＥＤ光源２３ａが１個である。また、ＬＥＤ照明装置１ｈは、ＬＥＤ照明装置１ｇと同様に光取り出し部９ａ、９ｂが同一方向に向けて形成される照明装置である。
【０２４８】  ＬＥＤ照明装置１ｈは、ＬＥＤ照明装置１ｇと同様に回路基板１９が用いられずに、フレキシブルフラットケーブル２１のみによって配線される。さらに、ＬＥＤ照明装置１ｈは、外側枠体３ｂの壁部２９ｂの外側に切換えスイッチ５と端子７が配置される。切換えスイッチ５は、フレキシブルフラットケーブル２１に接続される。
【０２４９】  ＬＥＤ照明装置１ｈは、ＬＥＤ照明装置１ｇ等のように、内側枠体３ａと外側枠体３ｂが一体成形され、ヒンジ部を折り曲げて成形されるのではなく、内側枠体３ａと外側枠体３ｂとが、相互に離隔して別体で配置される。内側枠体３ａの裏面には突部１７が設けられる。内側枠体３ａと外側枠体３ｂは、突部１７によって互いの対向面を接着することで、両者の間隔を安定して維持することができる。
【０２５０】  ＬＥＤ照明装置１ｈは、内側枠体３ａの外周部に、外側枠体３ｂとの接合部がない。すなわち、光取り出し部９ｂは、光取り出し部９ａの全周を囲むように形成される。また、切換えスイッチ５および端子７等が、外側枠体３ｂの外部に配置されるため、切換えスイッチ５等によって光が遮蔽されることがない。
【０２５１】  なお、ＬＥＤ照明装置１ｈは、光透過防止部材１５が用いられない。また、フレキシブルフラットケーブル２１に変えて、通常の電線を用いてもよい。
【０２５２】  第９の実施形態によれば、第６の実施形態と同様の効果を得ることができる。また、光取り出し部９ｂを光取り出し部９ａの全周を囲むように形成することで、内側枠体３ａの外周部の全周から光取り出しが可能な照明装置を得ることができる。
【０２５３】  また、突部１７を用いることで、内側枠体３ａと外側枠体３ｂとの配置を安定化することができる。このため、確実に光取り出し部９ｂを内側枠体３ａの外周部の全周に形成することができる。なお、ＬＥＤ光源２３ｂは、光取り出し部９ｂから視認できない位置に配置することが望ましい。
【０２５４】  また、ＬＥＤ照明装置１ｈでは、外側枠体３ｂの壁部２９ｂの外側に切換えスイッチ５と端子７が配置される。このため、内側枠体３ａと外側枠体３ｂの開口部によって囲まれた導光空間２５ｂからの光取り出しに際して、これらの部材がＬＥＤ光源２３ｂの光を遮ったり、吸収したりすることがなく、内側枠体３ａの外周部全周から光取り出しが可能になる。
【０２５５】  また、外側枠体３ｂの壁部２９ｂの外側に配置される切換えスイッチ５と接続されるフレキシブルフラットケーブル２１は、例えば、外側枠体３ｂの窪み部３３ｂの内表面を壁部２９ｂから曲面部３１ｂに向かって沿わせて配線し、そこから配線を内側枠体の裏面に向けて立ち上げて、内側枠体３ａの裏面を伝って、前記立ち上げ位置から所定距離れた内側枠体３ａの曲面部３１ａの裏面に配置されたＬＥＤ光源２３ｂに接続され、さらに内側枠体３ａの裏面の壁部２９ａを伝って、内側枠体３ａの壁部２９ａの開口部に配置されるＬＥＤ光源２３ａと接続することができる。なお、フレキシブルフラットケーブル２１の配線経路は図示した例には限られない。
【０２５６】  また、光の利用効率を高めるために、フレキシブルフラットケーブル２１の導光空間側の面には、マイクロ発泡樹脂製シートなどによる拡散反射機能を持つ層を設けることが好ましい。また、フレキシブルフラットケーブル２１に直接ＬＥＤ素子を半田実装し、半田実装した部分も反射機能層で覆われていることが好ましい。
【０２５７】  また、ＬＥＤ照明装置１ｈをクルマの室内照明に使った場合、室内を照らす照明の色と照明装置の輪郭を照らす照明の色を独立に設定できるだけでなく、内側枠体３ａの外周部の全周からの光取り出しが可能なため、室内の照明による演出効果をより高めることができる。
【０２５８】（第１０実施形態）  次に、第１０の実施形態について説明する。図１６は、第１０の実施形態にかかるＬＥＤ照明装置１ｉを示す断面図である。ＬＥＤ照明装置１ｉは、ＬＥＤ照明装置１ｈと略同様の構成であるが、突部１７が設けられない点で異なる。
【０２５９】  ＬＥＤ照明装置１ｉは、ＬＥＤ照明装置１ｈと同様に光取り出し部９ａ、９ｂが同一方向に向けて形成される照明装置である。また、ＬＥＤ照明装置１ｉは、ＬＥＤ照明装置１ｈと同様に内側枠体３ａと外側枠体３ｂが別体で成形され、相互に離隔して配置される。
【０２６０】  光透過部材１１の内側枠体３ａの先端部（開口部２７ａの縁部）との接触部と、外側枠体３ｂの先端部（開口部２７ｂの縁部）との接触部には、それぞれ溝１３ａが設けられる。すなわち、溝１３ａは、内側枠体３ａの先端部に対応するように環状に形成され、さらにその外側に、外側枠体３ｂの先端部に対応するように環状に形成される。
【０２６１】  内側枠体３ａおよび外側枠体３ｂのそれぞれの開口部２７ａ、２７ｂの先端部近傍は、光透過部材１１に形成された溝１３ａにはめ込まれて支持される。なお、内側枠体３ａおよび外側枠体３ｂの開口部２７ａ、２７ｂの先端部近傍と溝１３ａとは、さらに接着されてもよい。
【０２６２】  なお、ＬＥＤ照明装置１ｉは、ＬＥＤ照明装置１ｈと同様に、フレキシブルフラットケーブル２１のみによって配線される点に加えて、切換えスイッチ５と端子７が配置され、さらに、切換えスイッチ５とフレキシブルフラットケーブル２１に接続に関しては、ＬＥＤ照明装置１ｈと同様である。また切換えスイッチ５とＬＥＤ光源２３ａ、２３ｂとを接続するフレキシブルフラットケーブル２１の配線経路も、ＬＥＤ照明装置１ｈと同様にすることができる。
【０２６３】  第１０の実施形態によれば、第９の実施形態と同様の効果を得ることができる。また、内側枠体３ａと外側枠体３ｂとを相互に離隔して配置する時に、両枠体の配置を安定化することができる。このため、確実に光取り出し部９ｂを内側枠体３ａの外周部の全周に形成することができる。その結果、内側枠体３ａの外周部の全周からの光取り出しが可能な照明装置を得ることができる。なお、ＬＥＤ光源２３ｂは、第２の光取り出し部９ｂか視認できない位置に配置することが望ましい。
【０２６４】（第１１実施形態）  次に、第１１の実施形態について説明する。図１７、図１８は、第１１の実施形態にかかるＬＥＤ照明装置１ｊを示す断面図であり、図１７は、図１８のＧ−Ｇ線断面図、図１８は、図１７のＦ−Ｆ線断面図である。ＬＥＤ照明装置１ｊは、ＬＥＤ照明装置１ｉ等と略同様の構成であるが、内側枠部材１０ａ、外側枠部材１０ｂが用いられる点で異なる。
【０２６５】  ＬＥＤ照明装置１ｊは、ＬＥＤ照明装置１ｉと同様に光取り出し部９ａ、９ｂが同一方向に向けて形成される照明装置である。また、ＬＥＤ照明装置１ｊは、ＬＥＤ照明装置１ｉと同様に内側枠体３ａと外側枠体３ｂが別体で成形され、相互に離隔して配置される。
【０２６６】  ＬＥＤ照明装置１ｊは、平面視において、内側枠体３ａおよび外側枠体３ｂともに、コーナー部が丸い底部と側面部からなる略直方体形状に成形される。内側枠体３ａは、外側枠体３ｂと略相似形の形状であり、内側枠体３ａは、外側枠体３ｂの略中央に配置される。内側枠体３ａと外側枠体３ｂは、いずれの位置においても相互に所定距離離間した状態で配置される。したがって、内側枠体３ａの外周の全周に、光取り出し部９ｂが形成される。
【０２６７】  内側枠体３ａと外側枠体３ｂのそれぞれの開口部２７ａ、２７ｂの先端部近傍にはフランジ部３４ａ、３４ｂが設けられる。フランジ部３４ａ、３４ｂは、それぞれ、内側枠部材１０ａ、外側枠部材１０ｂに形成された溝１３ｂに嵌め込まれる。ここで、内側枠部材１０ａおよび外側枠部材１０ｂは、例えば、着色した樹脂の射出成形品である。なお、内側枠部材１０ａおよび外側枠部材１０ｂの上面は同一平面上に形成される。
【０２６８】  内側枠部材１０ａおよび外側枠部材１０ｂの形状は、それぞれ、内側枠体３ａおよび外側枠体３ｂのそれぞれの開口部２７ａ、２７ｂの形状に対応する。したがって、ＬＥＤ照明装置１ｊは、平面視において、内側枠部材１０ａは、外側枠部材１０ｂと略相似形の形状であり、内側枠部材１０ａは、外側枠部材１０ｂの略中央に配置される。このため、内側枠部材１０ａの内部が光取り出し部９ａとなり、内側枠部材１０ａの外周の全周に、光取り出し部９ｂが形成される。
【０２６９】  内側枠部材１０ａの内部には、光取り出し部９ａを覆うように、光透過部材１１が設けられる。また、内側枠部材１０ａと外側枠部材１０ｂとの間には、光取り出し部９ｂを覆うように、光透過部材１１が設けられる。光取り出し部９ａを覆う部位は、光透過部１１ａであり、光取り出し部９ｂを覆う部位は、光透過部１１ｂである。すなわち、光透過部１１ａは、内側枠部材１０ａの内部に固定され、光透過部１１ｂは、内側枠部材１０ａと外側枠部材１０ｂとの間に固定される。このような構造とすることにより内側枠体３ａと外側枠体３ｂが、所定距離離隔した状態で、相互に安定的に固定することができる。
【０２７０】  ＬＥＤ光源２３ａは、内側枠体３ａの底部の表面の略中央に配置される。ＬＥＤ光源２３ｂは、内側枠体３ａの裏面であって、ＬＥＤ光源２３ａの反対側に、外側枠体３ｂの表面側に発光面を向けて配置される。内側枠体３ａの裏面には回路基板１９が設けれ、ＬＥＤ光源２３ａとＬＥＤ光源２３ｂは、相互に回路基板１９に対して対称に配置される。このように、ＬＥＤ光源２３ａとＬＥＤ光源２３ｂを配置することにより、内側枠体３ａと外側枠体３ｂの開口部によって囲まれた内側枠体３ａの外周部全周から、導光空間２５ｂからの光取り出しが可能になる。
【０２７１】  ここで、内側枠体３ａの光取り出し部９ａの光透過部材１１の略中央部には、高光反射性の光透過防止部材１５を設けてもよい。また、光透過防止部材１５を設ける代わりに、光透過部材１１の略中央部の表面または裏面にプリズム構造を形成して、直接照射光を拡散させてグレア感をなくすこともできる。
【０２７２】  ここで、回路基板１９と切換えスイッチ５を結ぶ配線１８は、例えば、切換えスイッチ５から外側枠体３ｂの側面外周に沿って配線し、外側枠体３ｂに配線１８を通す穴を開けて配線１８を外側枠体の内部に挿通し、外側枠体３ｂ内部の底面部の表面に配線１８を沿わせて、途中から内側枠体３ａの裏面に立ち上げて回路基板１９に接続される。
【０２７３】  この際、外側枠体３ｂの底面部の表面に配線１８を沿わせた部分には、拡散反射機能を持つ層を設けることが好ましい。このようにすることで、ＬＥＤ照明装置１ｊの光の反射効率を向上させるとともに、配線１８の熱の吸収を防止することができる。また、配線１８としては、通常の配線の他、フレキシブルフラットケーブル２１も使用することができる。
【０２７４】  ここで、ＬＥＤ照明装置１ｉ、ＬＥＤ照明装置１ｊでは、外側枠体３ｂの壁部２９ｂの外側に切換えスイッチ５と端子７が配置される。このため、内側枠体３ａと外側枠体３ｂの開口部によって囲まれた光取り出し部９ｂから、導光空間２５ｂの光を取り出す際、これらの部材がＬＥＤ光源２３ｂの光を遮ったり、吸収したりすることがなく、内側枠体３ａの外周部全周から光を取り出すことができる。
【０２７５】  第１１の実施形態によれば、第９の実施形態と同様の効果を得ることができる。また、両枠体の配置を安定化することができ、光取り出し部９ｂを内側枠体３ａの外周部の全周に形成することができる。その結果、内側枠体３ａの外周部の全周からの光取り出しが可能な照明装置を得ることができる。
【０２７６】（第１２実施形態）  次に、第１２の実施形態について説明する。図１９、図２０は、第１２の実施形態にかかるＬＥＤ照明装置１ｋを示す断面図である。ＬＥＤ照明装置１ｋは、ＬＥＤ照明装置１とほぼ同様の構成であるが、ＬＥＤ光源２３ａの配置が異なる。
【０２７７】  ＬＥＤ照明装置１ｋは、内側枠体３ａは二つの窪み部３３ａが一体成形されたもので、内側枠体３ａの相互に隣接する窪み部３３ａの壁部２９ｃ、２９ｄで回路基板１９が挟まれる。すなわち、壁部２９ｃ、２９ｄは、回路基板１９を挟んで対向配置される。相互に隣接して対向するそれぞれの壁部２９ｃ、２９ｄは、内側枠体３ａのそれぞれの開口部２７ａに対して略垂直に形成されている。ここでは、回路基板１９用いたが、回路基板１９の代わりに、フレキシブルフラットケーブル２１を用いることもできる。
【０２７８】  壁部２９ｃ、２９ｄの略中央には、貫通穴が設けられる。ＬＥＤ光源２３ａは、開口部２７ａに略垂直な壁部２９ｃ、２９ｄのそれぞれの貫通穴に配置される。したがって、ＬＥＤ光源２３ａは、発光面を相互に反対方向に向けて、内側枠体３ａの窪み部３３ａのそれぞれの壁部２９ｃ、２９ｄに配置される。
【０２７９】  すなわち、壁部２９ｃ、２９ｄには、それぞれ、内側枠体３ａの内面側に向けて、ＬＥＤ光源２３ａがそれぞれ設けられる。ＬＥＤ光源２３ａは、壁部２９ｃ、２９ｄの間に配置された回路基板１９と接続される。ＬＥＤ光源２３ａは、それぞれの内側枠体３ａの導光空間２５ａに向けて光を照射することができる。なお、ＬＥＤ光源２３ａは、壁部２９ｃ、２９ｄ以外の部位であってもよく、それぞれの内側枠体３ａの内部の表面側のいずれかの位置に設けることができる。
【０２８０】  第１２の実施形態によれば、第１の実施形態と同様の効果を得ることができる。また、内側枠体３ａを一対設け、それぞれの光取り出し部９ａからの光によって、それぞれ異なる特定の部分を照らす照明として用いることができる。
【０２８１】（第１３の実施形態）  図２１、図２２は、第１３の実施形態にかかるＬＥＤ照明装置１ｌを示す。ＬＥＤ照明装置１ｌは、内側枠体３ａは二つの窪み部が一体成形されたもので、ＬＥＤ照明装置１と略同様の構成であるが、ＬＥＤ光源２３ａの配置が異なる。
【０２８２】  ＬＥＤ照明装置１ｌでは、ＬＥＤ光源２３ａが、内側枠体３ａの曲面部３１ａに設けられる。例えば、ＬＥＤ光源２３ａは、内側枠体３ａの二つの窪み部３３ａの曲面部３１ａの略中央にそれぞれ配置され、それぞれの内側枠体３ａの内部において、同一方向に開口部２７ａに向けて光を出射する。尚、内側枠体の曲面部のＬＥＤ光源２３ａを配置する部分の近傍は略平面上であってもよい。
【０２８３】  なお、ＬＥＤ光源２３ａは、それぞれの内側枠体３ａの裏面側でフレキシブルフラットケーブル２１と接続される。また、ＬＥＤ光源２３ａの発光部は、内側枠体３ａに設けられた孔から導光空間２５ａに露出する。
【０２８４】  ここで、ＬＥＤ光源２３ａは、ＬＥＤ光源２３ａの出射方向が、内側枠体３ａの開口部２７ａの開口面の法線方向に向くように配置される。この際、ＬＥＤ光源２３ａの配光半角が６０°以下であれば、例えば、自動車車内の天井照明に使用する場合に、社内の狭い空間の照射面の照度を高く保つことが可能になる。さらに、好ましくは照射半角が５０°以内となることがより好ましい。
【０２８５】  このとき、内側枠体３ａの光取り出し部９ａを覆う光透過部材１１（光透過部１１ａ）の表面あるいは裏面には、ＬＥＤ光源２３ａから直接照射される照射光によるグレア感を低減するため、多数のプリズム形状を形成するか、多数のプリズムが形成されたプリズムシートを貼り付けても良い。
【０２８６】  第１３の実施形態によれば、第１の実施形態と同様の効果を得ることができる。このように、ＬＥＤ光源２３ａの発光部が導光空間２５ａ内に配置されれば、ＬＥＤ光源２３ａは、内側枠体３ａのいずれの位置に配置してもよい。
【０２８７】  なお、第１３の実施形態においても、内側枠体３ａの窪み部を二つではなく、一つとし、内側枠体３ａに配置されるＬＥＤ光源２３ａを一つとしてもよい。図２３は、ＬＥＤ照明装置１ｍを示す図である。
【０２８８】  ＬＥＤ照明装置１ｍは、ＬＥＤ照明装置１ｌに対して、内側枠体３ａの窪み部３３ａが一つである。この場合、ＬＥＤ光源２３ａは、内側枠体３ａの曲面部３１ａの略中央に配置される。なお、ＬＥＤ光源２３ａは、それぞれの内側枠体３ａの裏面側でフレキシブルフラットケーブル２１と接続される。また、ＬＥＤ光源２３ａの発光部は、内側枠体３ａに設けられた孔から導光空間２５ａに露出する。
【０２８９】  このようにしても、ＬＥＤ照明装置１ｌと同様の効果を得ることができる。すなわち、光取り出し部９ａからは内側枠体３ａの開口部２７ａの開口面方向の光を取り出し、光取り出し部９ｂからは、内側枠体３ａの開口部２７ａの開口面方向とこれと垂直に交わる側面方向の光を取り出すことができる。光取り出し部９ｂが内側枠体３ａの開口部２７ａの開口面方向と所定角度で交わる場合は、内側枠体３ａの開口部２７ａの開口面方向と所定角度で交わる側面方向の光を取り出すことができる。
【０２９０】（第１４実施形態）  次に、第１４の実施形態について説明する。図２４は、第１４の実施形態にかかるＬＥＤ照明装置１ｎを示す断面図である。ＬＥＤ照明装置１ｎは、図１０のＬＥＤ照明装置１ｄと略同様の構成の構造を有するが、光透過部材１１等が用いられない点で異なる。
【０２９１】  つまり、図２４のＬＥＤ照明装置１ｎの外側枠体３ｂの開口部２７ｂは、内側枠体３ａの近傍に、内側枠体３ａの開口部２７ａより外側で、厚さ方向で低い位置（後方）に形成されている。このような構成としても、導光空間２５ａ（ＬＥＤ光源２３ａ）の光を光取り出し部９ａから、導光空間２５ｂの光（ＬＥＤ光源２３ｂ）を光取り出し部９ｂからそれぞれ光を取り出すことができる。すなわち、ＬＥＤ光源２３ｂからの光を、内側枠体３ａの開口面方向から内側枠体３ａの外周方向に至る方向に取り出すことができる。
【０２９２】  なお、ＬＥＤ照明装置１ａ、１ｂ等は、各ＬＥＤ照明装置の側方の光取り出し部９ｂからのみ光が取り出されたが、ＬＥＤ照明装置１ｎの光取り出し部９ｂからの光は、ＬＥＤ照明装置１ｃ、１ｄ等と同様に、光取り出し部９ａと同一方向から、光取り出し部９ａから所定角度（例えば垂直な方向）に至る範囲に取り出すことができる。
【０２９３】  なお、平面視において、外側枠体３ｂの開口部２７ｂは、内側枠体３ａの開口部２７ａより外側に拡開して大きく形成される例を示したが、外側枠体３ｂの開口部２７ｂの大きさは、これに限られない。例えば、外側枠体３ｂの開口部２７ｂの大きさは、必ずしも内側枠体３ａの開口部２７ａより大きく形成される必要はなく、同じ大きさに形成されても良い。
【０２９４】  第１４の実施の形態によれば、第１の実施の形態と同様の効果を得ることができる。このように、本実施の形態によれば、光取り出し部９ａからは、内側枠体３ａの開口部２７ａの開口面方向に光を取出し、光取り出し部９ｂからは、内側枠体３ａの開口部２７ａの開口面方向とこれと異なる方向の２方向に光を取り出すことができる。
【０２９５】  また、光取り出し部９ａに対して光取り出し部９ｂの位置は自由に決められるので、光取り出し部９ａと光取り出し部９ｂから取り出す光を互いに垂直な方向に照明光を取り出すように形成させることもできるし、光取り出し部９ａと同じ方向に照明光を取り出すように形成することもできる。すなわち、光取り出し部９ａから取り出す方向と、これと垂直な側面方向を含み、光取り出し部９ａに対して所定角度の方向に取り出すことができる。
【０２９６】  したがって、第１４の実施形態では、第１の実施形態の場合と同様に、光取り出し部９ａからは内側枠体３ａの開口部２７ａに垂直な方向の光を取り出し、光取り出し部９ｂからは、光取り出し部９ｂの位置を調整することにより、内側枠体３ａの開口部２７ａの方向からこれと所定角度で交わる側面方向の範囲に光を取り出すことができる。
【０２９７】  また、光取り出し部９ａからは内側枠体３ａの開口部２７ａの開口部方向の光を取り出し、光取り出し部９ｂからは、内側枠体３ａの開口部２７ａの開口部方向または内側枠体３ａの開口部２７ａの開口部方向とこれと所定角度で交わる側面方向の少なくともいずれかの方向を含む方向に光を取り出すＬＥＤ照明装置の光取り出し方法を得ることができる。
【０２９８】  ここで、特に図示しないが、内側枠体３ａの開口部２７ａより外側枠体３ｂの開口部２７ｂが大きく、さらに外側枠体３ｂの開口部２７ｂが内側枠体３ａの開口部と同一平面上に形成される場合には、光取り出し部９ａと外側枠体３ｂからは、ともに内側枠体３ａの開口部２７ａに垂直な方向の光を取り出すことができることは言うまでもない。
【０２９９】  なお、第１４の実施形態においても、内側枠体３ａの窪み部を二つではなく、一つとし、内側枠体３ａに配置されるＬＥＤ光源２３ａを一つとしてもよい。このようにしても、第１４の実施の形態と同様の効果を得ることができる。
【０３００】  以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【０３０１】  例えば、前述した各実施形態はそれぞれ互いに組み合わせることができることは言うまでもない。また、切換えスイッチ５や回路基板１９、フレキシブルフラットケーブル２１等のレイアウトは、図示した例には限られない。
【符号の説明】
【０３０２】１、１ａ、１ｂ、１ｄ、１ｅ、１ｆ、１ｇ、１ｈ、１ｉ、１ｊ、１ｋ、１ｌ、１ｍ、１ｎ………ＬＥＤ照明装置３………枠体３ａ………内側枠体３ｂ………外側枠体５………切換えスイッチ７………端子９ａ、９ｂ………光取り出し部１０ａ………内側枠部材１０ｂ………外側枠部材１１………光透過部材１１ａ、１１ｂ………光透過部１２ａ………平面部１２ｂ………斜面部１３ａ、１３ｂ………溝１５………光透過防止部材１７………突部１８………配線１９………回路基板２０………反射板２１………フレキシブルフラットケーブル２３ａ、２３ｂ………ＬＥＤ光源２５ａ、２５ｂ………導光空間２７ａ、２７ｂ………開口部２９ａ、２９ｂ、２９ｃ、２９ｄ………壁部３１ａ、３１ｂ………曲面部３３ａ、３３ｂ………窪み部３４ａ、３４ｂ………フランジ部３５ａ………フランジ状の反射板３７………ヒンジ部３９………配線  
【図１】
2017047811.tif 000003
【図２】
2017047811.tif 000004
【図３】
2017047811.tif 000005
【図４Ａ】
2017047811.tif 000006
【図４Ｂ】
2017047811.tif 000007
【図５】
2017047811.tif 000008
【図６】
2017047811.tif 000009
【図７】
2017047811.tif 000010
【図８】
2017047811.tif 000011
【図９】
2017047811.tif 000012
【図１０】
2017047811.tif 000013
【図１１】
2017047811.tif 000014
【図１２】
2017047811.tif 000015
【図１３】
2017047811.tif 000016
【図１４】
2017047811.tif 000017
【図１５】
2017047811.tif 000018
【図１６】
2017047811.tif 000019
【図１７】
2017047811.tif 000020
【図１８】
2017047811.tif 000021
【図１９】
2017047811.tif 000022
【図２０】
2017047811.tif 000023
【図２１】
2017047811.tif 000024
【図２２】
2017047811.tif 000025
【図２３】
2017047811.tif 000026
【図２４】
2017047811.tif 000027
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
マイクロ発泡樹脂製の外側枠体と、
前記外側枠体の内部に配置される、マイクロ発泡樹脂製の内側枠体と、を具備し、
前記内側枠体と前記外側枠体にはともに、それぞれの上部に設けた開口部と、前記開口部から下方に向けて窪み部が形成され、
前記内側枠体と前記外側枠体の前記窪み部は、互いに離間して対向し、
前記内側枠体の表面側が反射板として機能し、前記内側枠体の表面側と前記内側枠体の前記開口部で囲まれた空間が、第１の導光空間を形成し、前記内側枠体の裏面側と前記外側枠体の表面側が反射板として機能し、前記内側枠体の裏面側と、前記外側枠体の表面側と、前記内側枠体と前記外側枠体の前記開口部によって囲まれた空間が、第２の導光空間を形成して、
前記内側枠体の前記開口部は、第１の光取り出し部であり、前記第１の光取り出し部の周囲に形成され、前記内側枠体と前記外側枠体の前記開口部によって囲まれた開口部が第２の光取り出し部であり、
前記内側枠体の前記開口部は、略同一平面上に形成され、
前記外側枠体の前記開口部が、前記内側枠体の前記開口部と同一平面上に形成されるか、あるいは前記外側枠体の前記開口部が前記内側枠体の前記開口部より後方に配置され、
第１のＬＥＤ光源が前記第１の導光空間内に配置され、第２のＬＥＤ光源が前記第２の導光空間内に配置されることを特徴とするＬＥＤ照明装置。
【請求項２】
第１の光透過部と第２の光透過部よりなる光透過部材を具備し、
前記第１の光取り出し部が、前記第１の光透過部によって覆われ、
前記第２の光取り出し部が、前記第２の光透過部によって覆われる構造を有し、
前記内側枠体の前記開口部は、前記外側枠体の前記開口部と同一平面上に形成され、
前記第１の光取り出し部と前記第２の光取り出し部が、同一平面上に形成され、
前記内側枠体の前記開口部の縁部近傍と、前記外側枠体の前記開口部の縁部近傍が、ともに、前記光透過部材と接触し、
前記内側枠体の前記開口部の縁部近傍が前記第１の光透過部に固定され、
前記外側枠体の前記開口部の縁部近傍が、前記第２の光透過部に固定されることを特徴とする請求項１記載のＬＥＤ照明装置。
【請求項３】
第１の光透過部と第２の光透過部よりなる光透過部材を具備し、
前記第１の光取り出し部が、前記第１の光透過部によって覆われ、
前記第２の光取り出し部が、前記第２の光透過部によって覆われる構造を有し、
前記外側枠体の前記開口部が前記内側枠体の前記開口部より後方に配置され、
前記内側枠体の前記開口部の縁部近傍と、前記外側枠体の前記開口部の縁部近傍が、ともに、前記光透過部材と接触し、
前記内側枠体の前記開口部の縁部近傍が前記第１の光透過部に固定され、
前記外側枠体の前記開口部の縁部近傍が、前記第１の光透過部よりも後方で前記第２の光透過部に固定されることを特徴とする請求項１記載のＬＥＤ照明装置。
【請求項４】
前記内側枠体の先端が、前記内側枠体の外周方向にフランジ状に前記第１の光取り出し部に沿って折り曲げられ、前記外側枠体の先端が、前記外側枠体の外周方向にフランジ状に前記内側枠体のフランジ状の反射板に略平行に折り曲げられることを特徴とする請求項３記載のＬＥＤ照明装置。
【請求項５】
前記第１のＬＥＤ光源は、前記第１の導光空間の前記内側枠体の表面側に配置され、前記第２のＬＥＤ光源は、前記第２の導光空間の前記内側枠体の裏面側または前記外側枠体の表面側のいずれかに配置され、前記第２のＬＥＤ光源が前記第２の光取り出し部からは視認できない位置に配置されることを特徴とする請求項１記載のＬＥＤ照明装置。
【請求項６】
前記内側枠体は一つまたは二つの前記窪み部を有し、前記第１のＬＥＤ光源が前記窪み部の数に対応して、前記窪み部内にそれぞれ１つ設けられることを特徴とする請求項１記載のＬＥＤ照明装置。
【請求項７】
前記内側枠体が一つの前記窪み部を有する場合に、前記第１のＬＥＤ光源は、前記内側枠体の前記窪み部の壁部に配置されることを特徴とする請求項６記載のＬＥＤ照明装置。
【請求項８】
前記内側枠体が一つの前記窪み部を有する場合に、前記第１のＬＥＤ光源は、前記窪み部の曲面部の略中央に配置されることを特徴とする請求項６記載のＬＥＤ照明装置。
【請求項９】
前記内側枠体が二つの前記窪み部を有する場合に、前記内側枠体は、上部に設けた二つの独立した開口部と、前記二つの開口部から下方に向けてそれぞれ前記窪み部を具備するものであり、前記第１のＬＥＤ光源は、発光面を同一方向に向けて、前記内側枠体の二つの前記窪み部の略同一平面上に位置するそれぞれの壁部に配置されることを特徴とする請求項６記載のＬＥＤ照明装置。
【請求項１０】
前記内側枠体が二つの前記窪み部を有する場合に、前記内側枠体は、上部に設けた二つの独立した開口部と、前記二つの開口部から下方に向けてそれぞれ前記窪み部を具備するものであり、前記第１のＬＥＤ光源は、発光面を相互に反対方向に向けて、前記内側枠体の二つの前記窪み部のそれぞれの壁部に配置されることを特徴とする請求項６記載のＬＥＤ照明装置。
【請求項１１】
前記第１のＬＥＤ光源は、前記内側枠体が二つの前記窪み部を有する場合に、前記内側枠体は、上部に設けた二つの独立した開口部と、前記二つの開口部から下方に向けてそれぞれ前記窪み部を具備するものであり、前記内側枠体のそれぞれの前記窪み部の曲面部の略中央にそれぞれ配置されることを特徴とする請求項６記載のＬＥＤ照明装置。
【請求項１２】
前記第２のＬＥＤ光源は、前記第２の導光空間の略中央部に少なくとも１つ以上配置されることを特徴とする請求項６記載のＬＥＤ照明装置。
【請求項１３】
前記内側枠体および前記外側枠体の前記窪み部の形状は、それぞれ、前記第１の光取り出し部に対して略垂直に下方に向けて形成された壁部と、上方が開口した曲面部を有する曲面形状、略角錐台状、または略直方体形状のいずれかと、を具備することを特徴とする請求項１から請求項１２のいずれかに記載のＬＥＤ照明装置。
【請求項１４】
前記外側枠体が前記内側枠体とは一体に形成されるか、別体で形成された後一体化されたものであることを特徴とする請求項１から請求項１３のいずれかに記載のＬＥＤ照明装置。
【請求項１５】
前記内側枠体と前記外側枠体はヒンジ部で一体化しており、前記ヒンジ部が折り曲げられることで、前記内側枠体と前記外側枠体の両者の前記窪み部が所定距離間して重ね合わせられることを特徴とする請求項１から請求項１３のいずれかに記載のＬＥＤ照明装置。
【請求項１６】
前記内側枠体と前記外側枠体の対向部の一方の面に、対向面に向かって突出する突部、または前記内側枠体と前記外側枠体を繋ぐ柱部が形成され、前記突部が対向面と当接するか、あるいは前記柱部が前記内側枠体と前記外側枠体を接続し、前記内側枠体と前記外側枠体の配置が安定化されることを特徴とする請求項１から請求項１５のいずれかに記載のＬＥＤ照明装置。
【請求項１７】
前記突部と前記柱部が前記内側枠体と前記外側枠体を接続することで、前記内側枠体を前記外側枠体の内部に配置した時に、前記第２の光取り出し部が前記内側枠体の外周部に形成され、前記内側枠体の外周部から光取り出しが可能なことを特徴とすることを特徴とする請求項１６記載のＬＥＤ照明装置。
【請求項１８】
前記内側枠体と前記外側枠体の前記開口部の先端近傍がそれぞれ光透過部材に形成された溝にはめ込まれて支持されることで、前記内側枠体を前記外側枠体の内部に配置した時に、前記第２の光取り出し部が前記内側枠体の外周部に形成され、前記内側枠体の外周部から光取り出しが可能なことを特徴とする請求項２から請求項１５のいずれかに記載のＬＥＤ照明装置。
【請求項１９】
前記ＬＥＤ照明装置が枠部材を有していて、前記内側枠体または前記外側枠体の前記開口部の先端近傍がそれぞれ枠部材に嵌め込まれて支持されることで、前記内側枠体を前記外側枠体の内部に配置した時に、前記第２の光取り出し部が前記内側枠体の外周に形成され、前記内側枠体の外周部から光取り出しが可能なことを特徴とする請求項１から請求項１５のいずれかに記載のＬＥＤ照明装置。
【請求項２０】
前記光透過部材の導光空間側の面あるいは導光空間側とは反対側の面のいずれかに光拡散層またはレンズ構造を具備すること特徴とする請求項２から請求項１９のいずれかに記載のＬＥＤ照明装置。
【請求項２１】
前記レンズ構造は、前記第１の光取り出し部を覆う前記光透過部材の表面または裏面が多数のプリズム形状で形成されるか、あるいは前記光透過部材に多数のプリズムを形成したプリズムシートが貼り付けられたものであることを特徴とする請求項２０に記載のＬＥＤ照明装置。
【請求項２２】
前記第１のＬＥＤ光源の直上部には、前記第１の光取り出し部に設けられた前記光透過部材の一部を塞いで、前記第１のＬＥＤ光源からの直接照射光を遮蔽するように前記光透過部材の裏面に光透過防止部材が設けられることを特徴とする請求項２から請求項１９のいずれかに記載のＬＥＤ照明装置。
【請求項２３】
前記光透過防止部材は、マイクロ発泡樹脂からなる光反射性を有するマイクロ発泡樹脂からなる樹脂シートであることを特徴とする請求項２２記載のＬＥＤ照明装置。
【請求項２４】
前記第１のＬＥＤ光源の直上部において、前記第１の光取り出し部に設けられる前記光透過部材の厚さを前記光透過部材の他部分より厚くすることで、前記第１のＬＥＤ光源からの直接照射光を減衰させる機能を有する前記光透過部材が設けられることを特徴とする請求項２から請求項１９のいずれかに記載のＬＥＤ照明装置。
【請求項２５】
前記内側枠体と前記外側枠体は、波長４５０〜６５０ｎｍの可視光帯域での光学特性として、酸化アルミニウム標準板に対する光反射率が全反射率９０％以上、拡散反射率が９０％以上であることを特徴とする請求項１から請求項２４のいずれかに記載のＬＥＤ照明装置。
【請求項２６】
前記内側枠体と前記外側枠体は、可視光帯域における反射率の波長依存性が２％以下であることを特徴とする請求項１から請求項２５のいずれかに記載のＬＥＤ照明装置。
【請求項２７】
前記第１のＬＥＤ光源は、白色または淡黄色のＬＥＤ光源であり、前記第２のＬＥＤ光源は、加飾用の赤色、黄色、緑色、青色のいずれかの着色ＬＥＤ光源、あるいは、前記第２のＬＥＤ光源は、第１のＬＥＤ光源の光とは異なる色の着色照明光として着色ＬＥＤ光源を切り換えて使用することが可能な照明であることを特徴とする請求項１から請求項２６のいずれかに記載のＬＥＤ照明装置。
【請求項２８】
前記外側枠体からの光の照度に対する前記内側枠体からの光の照度の比率が、１．５〜３．０倍であることを特徴とする請求項１から請求項２７のいずれかに記載のＬＥＤ照明装置。
【請求項２９】
前記光透過部材は、アクリル樹脂、ＰＣ樹脂、ガラス材料、ポリエステル製の樹脂シートのいずれかであることを特徴とする請求項２から請求項２８のいずれかに記載のＬＥＤ照明装置。
【請求項３０】
前記ＬＥＤ照明装置は、前記第１のＬＥＤ光源と前記第２のＬＥＤ光源の照明を切り換えて使用することが可能であることを特徴とする請求項１から請求項２９のいずれかに記載のＬＥＤ照明装置。
【請求項３１】
前記ＬＥＤ照明装置には、切換えスイッチが設けられ、前記切換えスイッチを切り換えて、前記第１のＬＥＤ光源と前記第２のＬＥＤ光源の照明を切り換えて使用することが可能であることを特徴とする請求項３０記載のＬＥＤ照明装置。
【請求項３２】
前記内側枠体の前記窪み部に配置された前記第１のＬＥＤ光源同士の切り替えは、接触式スイッチにより行われることを特徴とする請求項３１記載のＬＥＤ照明装置。
【請求項３３】
前記第１のＬＥＤ光源と前記第２のＬＥＤ光源を制御する制御基板を具備し、前記制御基板がリジット基板であることを特徴とする請求項１から請求項３２のいずれかに記載のＬＥＤ照明装置。
【請求項３４】
前記ＬＥＤ照明装置は、雰囲気照明用、室内照明用、自動車照明用、鉄道車輛用、または航空機用照明装置であることを特徴とする請求項１から請求項３３のいずれかに記載のＬＥＤ照明装置。
【請求項３５】
マイクロ発泡樹脂製の外側枠体と、
前記外側枠体の内部に併設されて配置される、マイクロ発泡樹脂製の内側枠体と、を具備し、
前記内側枠体と前記外側枠体にはともに、それぞれの上部に設けた開口部と、前記開口部から下方に向けて形成された窪み部を具備するものであり、
前記内側枠体と前記外側枠体の前記窪み部は、互いに離間して対向するように配置され、
前記内側枠体の表面側が反射板として機能し、前記内側枠体の表面側と前記内側枠体の前記開口部で囲まれた空間が、第１の導光空間を形成し、前記内側枠体の裏面側と前記外側枠体の表面側が反射板として機能し、前記内側枠体の裏面側と、前記外側枠体の表面側と、前記内側枠体と前記外側枠体の前記開口部によって囲まれた空間が、第２の導光空間を形成して、
第１のＬＥＤ光源が前記第１の導光空間内に配置され、第２のＬＥＤ光源が前記第２の導光空間内に配置され、
前記内側枠体の前記開口部は、第１の光取り出し部であり、前記第１の光取り出し部の周囲に形成され、前記内側枠体と前記外側枠体の前記開口部によって囲まれた開口部が第２の光取り出し部であり、
前記内側枠体の前記開口部は、略同一平面上に形成され、
前記外側枠体の前記開口部が、前記内側枠体の前記開口部と同一平面上に形成されるか、あるいは前記外側枠体の前記開口部が前記内側枠体の前記開口部より後方に配置され、
前記第１の光取り出し部からは前記内側枠体の前記開口部の開口面方向の光を取り出し、前記第２の光取り出し部からは、前記内側枠体の前記開口部の開口面方向、または前記内側枠体の前記開口部の開口面方向とこれと所定角度で交わる側面方向の少なくともいずれかの方向を含む方向の光を取り出すことを特徴とするＬＥＤ照明装置の光取り出し方法。
【請求項３６】
前記第１のＬＥＤ光源は、前記第１の導光空間の前記内側枠体の表面側に配置され、前記第２のＬＥＤ光源は、前記第２の導光空間の前記内側枠体の裏面側または前記外側枠体の表面側のいずれかに配置され、前記第２のＬＥＤ光源が前記第２の光取り出し部からは視認できない位置に配置されることを特徴とする請求項３５に記載のＬＥＤ照明装置の光取り出し方法。
【請求項３７】
前記内側枠体は一つまたは二つの前記窪み部を有し、前記第１のＬＥＤ光源が前記窪み部の数に対応して、前記窪み部内にそれぞれ１つ設けられることを特徴とする請求項３５に記載のＬＥＤ照明装置の光取り出し方法。
【請求項３８】
前記第１の光取り出し部と、前記第２の光取り出し部が、ともに光透過部材によって覆われ、前記光透過部材は、第１の光透過部と第２の光透過部より構成され、前記第１の光取り出し部が、前記第１の光透過部によって覆われ、前記第２の光取り出し部が、前記第２の光透過部によって覆われるもので、
前記第１の光透過部からは前記内側枠体の前記開口部の開口方向の光を取り出し、前記第２の光透過部からは、前記内側枠体の前記開口部の開口面方向、または前記内側枠体の前記開口部の開口面方向とこれと所定角度で交わる側面方向の少なくともいずれかの方向を含む方向の光を取り出すことを特徴とする請求項３５記載のＬＥＤ照明装置の光取り出し方法。
【請求項３９】
前記内側枠体と前記外側枠体が離隔して配置され、前記内側枠体を前記外側枠体の内部に配置した時に、前記第２の光取り出し部が前記内側枠体の外周部全体に形成され、前記内側枠体の外周部全体から光を取り出すことを特徴とする請求項３５記載のＬＥＤ照明装置の光取り出し方法。
【請求項４０】
前記内側枠体と前記外側枠体のそれぞれの表面の波長４５０〜６５０ｎｍの可視光帯域での光学特性として、酸化アルミニウム標準板に対する拡散反射率が９０％以上であることを特徴とする請求項３５記載のＬＥＤ照明装置の光取り出し方法。
【手続補正２】
【補正対象書類名】明細書
【補正対象項目名】００３２
【補正方法】変更
【補正の内容】
【００３２】
前記突部と前記柱部が前記内側枠体と前記外側枠体を接続することで、前記内側枠体を前記外側枠体の内部に配置した時に、前記第２の光取り出し部が前記内側枠体の外周部に形成され、前記内側枠体の外周部から光取り出しが可能であってもよい。
【手続補正３】
【補正対象書類名】明細書
【補正対象項目名】００３３
【補正方法】変更
【補正の内容】
【００３３】
前記内側枠体と前記外側枠体の前記開口部の先端近傍がそれぞれ光透過部材に形成された溝にはめ込まれて支持されることで、前記内側枠体を前記外側枠体の内部に配置した時に、前記第２の光取り出し部が前記内側枠体の外周部に形成され、前記内側枠体の外周部から光取り出しが可能であってもよい。
【手続補正４】
【補正対象書類名】明細書
【補正対象項目名】００３４
【補正方法】変更
【補正の内容】
【００３４】
前記ＬＥＤ照明装置が枠部材を有していて、前記内側枠体または前記外側枠体の前記開口部の先端近傍がそれぞれ枠部材に嵌め込まれて支持されることで、前記内側枠体を前記外側枠体の内部に配置した時に、前記第２の光取り出し部が前記内側枠体の外周に形成され、前記内側枠体の外周部から光取り出しが可能であってもよい。
【手続補正５】
【補正対象書類名】明細書
【補正対象項目名】００３５
【補正方法】変更
【補正の内容】
【００３５】
前記光透過部材の導光空間側の面あるいは導光空間側とは反対側の面のいずれかに光拡散層またはレンズ構造を具備してもよい。
【手続補正６】
【補正対象書類名】明細書
【補正対象項目名】００３７
【補正方法】変更
【補正の内容】
【００３７】
前記第１のＬＥＤ光源の直上部には、前記第１の光取り出し部に設けられた前記光透過部材の一部を塞いで、前記第１のＬＥＤ光源からの直接照射光を遮蔽するように前記光透過部材の裏面に光透過防止部材が設けられてもよい。
【手続補正７】
【補正対象書類名】明細書
【補正対象項目名】００３９
【補正方法】変更
【補正の内容】
【００３９】
前記第１のＬＥＤ光源の直上部において、前記第１の光取り出し部に設けられる前記光透過部材の厚さを前記光透過部材の他部分より厚くすることで、前記第１のＬＥＤ光源からの直接照射光を減衰させる機能を有する前記光透過部材が設けられてもよい。
【手続補正８】
【補正対象書類名】明細書
【補正対象項目名】００４２
【補正方法】変更
【補正の内容】
【００４２】
前記第１のＬＥＤ光源は、白色または淡黄色のＬＥＤ光源であり、前記第２のＬＥＤ光源は、加飾用の赤色、黄色、緑色、青色のいずれかの着色ＬＥＤ光源、あるいは、前記第２のＬＥＤ光源は、第１のＬＥＤ光源の光とは異なる色の着色照明光として着色ＬＥＤ光源を切り換えて使用することが可能な照明であってもよい。第２のＬＥＤ光源の光を第１のＬＥＤ光源の光とは異なる色の着色照明光とすることで、第２の光取り出し部からの光を、例えば加飾用の照明として利用してもよい。
【手続補正９】
【補正対象書類名】明細書
【補正対象項目名】００４５
【補正方法】変更
【補正の内容】
【００４５】
前記ＬＥＤ照明装置は、前記第１のＬＥＤ光源と前記第２のＬＥＤ光源の照明を切り換えて使用することが可能であってもよい。
【手続補正１０】
【補正対象書類名】明細書
【補正対象項目名】００４６
【補正方法】変更
【補正の内容】
【００４６】
前記ＬＥＤ照明装置には、切換えスイッチが設けられ、前記切換えスイッチを切り換えて、前記第１のＬＥＤ光源と前記第２のＬＥＤ光源の照明を切り換えて使用することが可能であってもよい。
【手続補正１１】
【補正対象書類名】明細書
【補正対象項目名】００８４
【補正方法】変更
【補正の内容】
【００８４】
第２の発明は、マイクロ発泡樹脂製の外側枠体と、前記外側枠体の内部に併設されて配置される、マイクロ発泡樹脂製の内側枠体と、を具備し、前記内側枠体と前記外側枠体にはともに、それぞれの上部に設けた開口部と、前記開口部から下方に向けて形成された窪み部が形成された窪み部を具備するものであり、前記内側枠体と前記外側枠体の前記窪み部は、互いに離間して対向するように配置され、前記内側枠体の表面側が反射板として機能し、前記内側枠体の表面側と前記内側枠体の前記開口部で囲まれた空間が、第１の導光空間を形成し、前記内側枠体の裏面側と前記外側枠体の表面側が反射板として機能し、前記内側枠体の裏面側と、前記外側枠体の表面側と、前記内側枠体と前記外側枠体の前記開口部によって囲まれた空間が、第２の導光空間を形成して、第１のＬＥＤ光源が前記第１の導光空間内に配置され、第２のＬＥＤ光源が前記第２の導光空間内に配置され、前記内側枠体の前記開口部は、第１の光取り出し部であり、前記第１の光取り出し部の周囲に形成され、前記内側枠体と前記外側枠体の前記開口部によって囲まれた開口部が第２の光取り出し部であり、前記内側枠体の前記開口部は、略同一平面上に形成され、前記外側枠体の前記開口部が、前記内側枠体の前記開口部と同一平面上に形成されるか、あるいは前記外側枠体の前記開口部が前記内側枠体の前記開口部より後方に配置され、前記第１の光取り出し部からは前記内側枠体の前記開口部の開口面方向の光を取り出し、前記第２の光取り出し部からは、前記内側枠体の前記開口部の開口面方向、または前記内側枠体の前記開口部の開口面方向とこれと所定角度で交わる側面方向の少なくともいずれかの方向を含む方向の光を取り出すことを特徴とするＬＥＤ照明装置の光取り出し方法である。
【手続補正１２】
【補正対象書類名】明細書
【補正対象項目名】０１５５
【補正方法】変更
【補正の内容】
【０１５５】
切換えスイッチ５は、外側枠体３ｂの照明を点灯・消灯させ、内側枠体３ａのそれぞれのＬＥＤ光源２３ａの点灯・消灯を切り替えることができる。なお、切換えスイッチ５としては、光透過部１１ａ上に接触式スイッチを設けてもよい。接触式のスイッチは静電容量スイッチでも良い。例えば、内側枠体３ａのそれぞれの窪み部３３ａの照明の切り替えを、接触式の静電容量スイッチにより行うこともできる。
【国際調査報告】
2017047811.tif 000028
2017047811.tif 000029